(57)【要約】【課題】ディスク弁やその関連部品を含む弁機構を一体的に組付けてカートリッジ化することにより、原水・浄水切替弁装置を含む各種の切替弁装置の本体ケース内に着脱自在に組付けて、ディスク弁等の弁機構を単体で簡単に交換することができるようにする。【解決手段】切替弁カートリッジは、ハンドル５０により可動ディスク１３１を回動して可動ディスク１３１の通水孔１３２ａ，１３２ｂを固定ディスク１３３の３対の通水孔１３４ａ，１３４ｂ，１３５ａ，１３５ｂ，１３６ａ，１３６ｂのいずれかの対と選択的に連通することにより、原水流入口からの流水が可動ディスク１３１の通水孔１３２ａ，１３２ｂから対応する固定ディスク１３３の通水孔を介して、当該固定ディスク１３１の通水孔に連通する通水路１７１ａ，１７１ｂ，１７２ａ，１７２ｂ，１７３ａ，１７３ｂに流入し、当該通水路を経て対応する水流出口２４ｂ，２４ｃ，３２に流入する。【選択図】図１
2010031923.tif 000002
【特許請求の範囲】
【請求項１】
ケース状の切替弁装置本体に、水流入口と、複数の水流出口と、装着口とを形成してなる切替弁装置用の切替弁カートリッジであって、
前記切替弁装置本体の装着口から軸方向に挿入して内装され、前記装着口に水密に着脱自在とされたカートリッジ本体と、
前記カートリッジ本体の内部に装着されるセラミックディスクからなる弁機構と、
前記カートリッジ本体に装着されて、前記弁機構を外部から弁操作するハンドルとを備え、
前記カートリッジ本体は、一端を外部に開口した流入路と、前記流入路の下流側で当該流入路と連通する弁室と、前記弁室の下流側で当該弁室とそれぞれの一端が連通すると共にそれぞれの他端が外部に開口する複数の通水路とを有し、前記複数の通水路を前記切替弁装置本体の複数の水流出口の数に応じて形成し、
前記カートリッジ本体は、前記切替弁装置本体に装着された状態で、前記流入路の一端の開口を前記切替弁装置本体の水流入口と水密に連通して当該水流入口からの流水を内部に導入して前記弁室に通水すると共に、前記複数の通水路の他端の開口を前記切替弁装置の水流出口の一端の開口にそれぞれ水密に連通してそれぞれの水流出口へ通水自在であり、
前記弁機構は、前記カートリッジ本体の弁室に同軸上に装着される可動ディスク及び固定ディスクを有し、
前記可動ディスクは、少なくとも１個の通水孔を貫通形成し、
前記固定ディスクは、少なくとも前記通水路の数と同一数の通水孔を周方向に所定角度を置いて貫通形成すると共に、当該複数の通水孔を前記カートリッジ本体の複数の通水路の一端の開口と対向配置して装着され、
前記ハンドルは前記可動ディスクに作動連結され、前記可動ディスクを回動自在であり、
前記ハンドルにより前記可動ディスクを回動して当該可動ディスクの通水孔を前記固定ディスクの複数の通水孔のいずれか１つと選択的に連通することにより、前記流入路からの流水が当該可動ディスクの通水孔から対応する当該固定ディスクの通水孔を介して、当該固定ディスクの通水孔に連通する前記通水路内に流入し、当該通水路を経て対応する前記水流出口に流入するようにしたことを特徴とする切替弁カートリッジ。
【請求項２】
前記切替弁装置本体は、１つの水流入口と、前記複数の水流出口としての第１の水流出口及び第２の水流出口とを有し、前記水流入口と前記第１の水流出口とを同軸上に配置すると共に、前記第２の水流出口を前記水流入口と第１の水流出口との間の空間と重ならない位置に配置し、
前記カートリッジ本体は、前記第１の水流出口及び第２の水流出口と対応して、前記複数の通水路としての第１の通水路及び第２の通水路を有し、
前記カートリッジ本体は、前記水流入口と前記第１の水流出口とを結ぶ軸と交差し、かつ、前記第２の水流出口の軸と交差するよう前記切替弁装置本体の内部に挿入して装着され、
前記カートリッジ本体は、更に、その挿入方向における基端から軸方向に所定距離を置いた位置に、その外周面の周方向全長を延びる凹溝状の流路溝を有すると共に、前記第１の通水路の他端の開口を前記流路溝の底面で開口しており、前記切替弁装置本体に装着された状態で、前記流路溝の幅方向両側部を前記切替弁装置本体の内面に水密に密接して封止することにより、前記流路溝を前記第１の水流出口と連通し、
前記カートリッジ本体は、更に、その挿入方向における先端面で前記第２の通水路の他端の開口を開口しており、前記切替弁装置本体に装着された状態で、前記第２の通水路の先端の開口を前記第２の水流出口と連通し、
前記固定ディスクは、前記カートリッジ本体の第１の通水路の一端の開口と対向配置される第１の通水孔と、前記カートリッジ本体の第２の通水路の一端の開口と対向配置される第２の通水孔とを有し、
前記ハンドルにより前記可動ディスクを第１の回動角度位置に回動して当該可動ディスクの通水孔を前記固定ディスクの第１の通水孔と連通することにより、前記流入路からの流水が前記可動ディスクの通水孔から前記固定ディスクの第１の通水孔を介して、当該固定ディスクの第１の通水孔に連通する前記第１の通水路内に流入し、当該第１の通水路から前記流路溝を経て対応する前記第１の水流出口に流入するようにし、
また、前記ハンドルにより前記可動ディスクを第２の回動角度位置に回動して当該可動ディスクの通水孔を前記固定ディスクの第２の通水孔と連通することにより、前記流入路からの流水が前記可動ディスクの通水孔から前記固定ディスクの第２の通水孔を介して、当該固定ディスクの第２の通水孔に連通する前記第２の通水路内に流入し、当該第２の通水路を経て対応する前記第２の水流出口に流入するようにしたことを特徴とする請求項１記載の切替弁カートリッジ。
【請求項３】
前記切替弁装置本体は、前記水流入口としての第１の水流入口と、前記複数の水流出口の一つとしての第１の水流出口と、前記複数の水流出口の他の一つとしての外部給水装置用の第２の水流出口とを有すると共に、更に、前記第２の水流出口から前記外部給水装置を経て還流した水を導入するための第２の水流入口を有し、
前記切替弁装置本体は、前記第１の水流入口と前記第１の水流出口とを同軸上に配置すると共に、前記第２の水流出口を前記第１の水流入口と第１の水流出口との間の空間と重ならない位置に配置し、更に、前記第２の水流入口を前記第１の水流入口と第１の水流出口との間の空間と重なる位置に配置し、
前記カートリッジ本体は、前記第１の水流出口及び第２の水流出口と対応して、前記複数の通水路としての第１の通水路及び第２の通水路をそれぞれ有し、
前記カートリッジ本体は、前記第１の水流入口と前記第１の水流出口とを結ぶ軸と交差し、かつ、前記第２の水流出口の軸と交差し、かつ、前記第２の水流入口の軸と交差するよう前記切替弁装置本体の内部に挿入して装着され、
前記カートリッジ本体は、更に、その挿入方向における基端から軸方向に所定距離を置いた位置に、その外周面の周方向全長を延びる凹溝状の第１の流路溝を有すると共に、前記第１の通水路の他端の開口を前記第１の流路溝の底面で開口しており、前記切替弁装置本体に装着された状態で、前記第１の流路溝の幅方向両側部を前記切替弁装置本体の内面に水密に密接して封止することにより、前記第１の流路溝を前記第１の水流入口と第１の水流出口との間の空間を介して前記第１の水流出口と連通し、
前記カートリッジ本体は、更に、その挿入方向における基端から前記第１の流路溝よりも更に軸方向に所定距離を置いた位置に、その外周面の周方向全長を延びる凹溝状の第２の流路溝を有すると共に、前記第２の通水路の他端の開口を前記第２の流路溝の底面で開口しており、前記第２の流路溝の幅方向両側部を前記切替弁装置本体の内面に水密に密接して封止することにより、前記第２の流路溝を前記第２の水流出口と連通し、
前記固定ディスクは、前記カートリッジ本体の第１の通水路の一端の開口と対向配置される第１の通水孔と、前記カートリッジ本体の第２の通水路の一端の開口と対向配置される第２の通水孔とを有し、
前記ハンドルにより前記可動ディスクを第１の回動角度位置に回動して当該可動ディスクの通水孔を前記固定ディスクの第１の通水孔と連通することにより、前記流入路からの流水が前記可動ディスクの通水孔から前記固定ディスクの第１の通水孔を介して、当該固定ディスクの第１の通水孔に連通する前記第１の通水路内に流入し、当該第１の通水路から前記第１の流路溝を経て対応する前記第１の水流出口に流入するようにし、
また、前記ハンドルにより前記可動ディスクを第２の回動角度位置に回動して当該可動ディスクの通水孔を前記固定ディスクの第２の通水孔と連通することにより、前記流入路からの流水が前記可動ディスクの通水孔から前記固定ディスクの第２の通水孔を介して、当該固定ディスクの第２の通水孔に連通する前記第２の通水路内に流入し、当該第２の通水路から前記第２の流路溝を経て対応する前記第２の水流出口に流入した後、前記第２の水流出口から前記外部給水装置を経て前記第２の水流入口に還流し、前記第２の水流入口と対応する前記第１の流路溝を経て前記第１の水流出口から流出するようにしたことを特徴とする請求項１記載の切替弁カートリッジ。
【請求項４】
前記切替弁装置本体は、前記水流入口としての第１の水流入口と、前記複数の水流出口の一つとしての第１の水流出口と、前記複数の水流出口の他の一つとしての第２の水流出口と、前記複数の水流出口の他の一つとしての外部給水装置用の第３の水流出口とを有すると共に、更に、前記第３の水流出口から前記外部給水装置を経て還流した水を導入するための第２の水流入口を有し、
前記切替弁装置本体は、前記第１の水流入口と前記第１の水流出口とを同軸上に配置すると共に、前記第１の水流入口と前記第２の水流出口とを前記第１の水流出口に隣接して同軸上に配置し、更に、前記第３の水流出口を前記第１の水流入口と第１の水流出口との間の空間と重ならない位置に配置し、更に、前記第２の水流入口を前記第１の水流入口と第１の水流出口との間の空間と重なる位置に配置し、
前記カートリッジ本体は、前記第１の水流出口、第２の水流出口及び第３の水流出口と対応して、前記複数の通水路としての第１の通水路、第２の通水路及び第３の通水路をそれぞれ有し、
前記カートリッジ本体は、前記第１の水流入口と前記第１の水流出口とを結ぶ軸と交差し、かつ、前記第２の水流出口の軸と交差し、かつ、前記第２の水流入口の軸と交差するよう前記切替弁装置本体の内部に挿入して装着され、
前記カートリッジ本体は、更に、その挿入方向における基端から軸方向に所定距離を置いた位置に、その外周面の周方向全長を延びる凹溝状の第１の流路溝を有すると共に、前記第１の通水路の他端の開口を前記第１の流路溝の底面で開口しており、前記切替弁装置本体に装着された状態で、前記第１の流路溝の幅方向両側部を前記切替弁装置本体の内面に水密に密接して封止することにより、前記第１の流路溝を前記第１の水流入口と第１の水流出口との間の空間を介して前記第１の水流出口と連通し、
前記カートリッジ本体は、更に、その挿入方向における基端から前記第１の流路溝よりも更に軸方向に所定距離を置いた位置に、その外周面の周方向全長を延びる凹溝状の第２の流路溝を有すると共に、前記第２の通水路の他端の開口を前記第２の流路溝の底面で開口しており、前記第２の流路溝の幅方向両側部を前記切替弁装置本体の内面に水密に密接して封止することにより、前記第２の流路溝を前記第２の水流出口と連通し、
前記カートリッジ本体は、更に、その挿入方向における基端から前記第２の流路溝よりも更に軸方向に所定距離を置いた位置に、その外周面の周方向全長を延びる凹溝状の第３の流路溝を有すると共に、前記第３の通水路の他端の開口を前記第３の流路溝の底面で開口し、前記第３の流路溝の幅方向両側部を前記切替弁装置本体の内面に水密に密接して封止することにより、前記第３の流路溝を前記第３の水流出口と連通し、または、その挿入方向における先端面で前記第３の通水路の他端の開口を開口し、前記切替弁装置本体に装着された状態で、前記第３の通水路の先端の開口を前記第３の水流出口と連通し、
前記固定ディスクは、前記カートリッジ本体の第１の通水路の一端の開口と対向配置される第１の通水孔と、前記カートリッジ本体の第２の通水路の一端の開口と対向配置される第２の通水孔と、前記カートリッジ本体の第３の通水路の一端の開口と対向配置される第３の通水孔とを有し、
前記ハンドルにより前記可動ディスクを第１の回動角度位置に回動して当該可動ディスクの通水孔を前記固定ディスクの第１の通水孔と連通することにより、前記流入路からの流水が前記可動ディスクの通水孔から前記固定ディスクの第１の通水孔を介して、当該固定ディスクの第１の通水孔に連通する前記第１の通水路内に流入し、当該第１の通水路から前記第１の流路溝を経て対応する前記第１の水流出口に流入するようにし、
また、前記ハンドルにより前記可動ディスクを第２の回動角度位置に回動して当該可動ディスクの通水孔を前記固定ディスクの第２の通水孔と連通することにより、前記流入路からの流水が前記可動ディスクの通水孔から前記固定ディスクの第２の通水孔を介して、当該固定ディスクの第２の通水孔に連通する前記第２の通水路内に流入し、当該第２の通水路から前記第２の流路溝を経て対応する前記第２の水流出口に流入するようにし、
また、前記ハンドルにより前記可動ディスクを第３の回動角度位置に回動して当該可動ディスクの通水孔を前記固定ディスクの第３の通水孔と連通することにより、前記流入路からの流水が前記可動ディスクの通水孔から前記固定ディスクの第３の通水孔を介して、当該固定ディスクの第３の通水孔に連通する前記第３の通水路内に流入し、当該第３の通水路から対応する前記第２の水流出口に流入した後、前記第２の水流出口から前記外部給水装置を経て前記第２の水流入口に還流し、前記第２の水流入口と対応する前記第１の流路溝を経て前記第１の水流出口から流出するようにしたことを特徴とする請求項１記載の切替弁カートリッジ。
【請求項５】
前記カートリッジ本体は、前記複数の通水路を内部に有する略円筒状をなすと共に、その周方向における一方の１８０度の角度範囲に、前記複数の通水路を一定角度間隔で配置し、
前記カートリッジ本体は、更に、その周方向における他方の１８０度の角度範囲に、前記複数の通水路と同数の追加の通水路を前記複数の通水路の一定角度間隔と同一の一定角度間隔で形成し、前記複数の通水路の各々と前記追加の複数の通水路の各々とが前記周方向に１８０度離間して互いに対をなすようにし、
前記複数の追加の通水路は、前記弁室の下流側で当該弁室とそれぞれの一端が連通すると共にそれぞれの他端が外部に開口し、
前記可動ディスクは、その周方向に１８０度離間した位置に一対の通水孔を形成し、
前記固定ディスクは、その周方向において前記カートリッジ本体の一方の１８０度の角度範囲と対応する一方の１８０度の角度範囲に、前記複数の通水路とそれぞれ対応する複数の通水孔を、前記複数の通水路と同一の一定角度間隔で形成し、
前記固定ディスクは、更に、その周方向において前記カートリッジ本体の他方の１８０度の角度範囲と対応する他方の１８０度の角度範囲に、前記追加の複数の通水路とそれぞれ対応する同数の追加の通水孔を、前記複数の追加の通水路と同一の一定角度間隔で形成して、前記複数の通水孔の各々と前記追加の複数の通水孔の各々とが前記周方向に１８０度離間して互いに対をなすようにし、
前記ハンドルは、前記可動ディスクを正逆方向にそれぞれ３６０度以上回動自在であり、
前記ハンドルにより前記可動ディスクを回動して当該可動ディスクの通水孔の一方を前記固定ディスクの複数の通水孔のいずれか１つと選択的に連通することにより、前記可動ディスクの他方の通水孔が前記固定ディスクの追加の通水孔のうち前記連通した通水孔と対をなす追加の通水孔とも連通するようにし、これにより、前記流入路からの流水が当該可動ディスクの一対の通水孔から対応する当該固定ディスクの対をなす通水孔及び追加の通水孔を介して、当該固定ディスクの対をなす通水孔及び追加の通水孔にそれぞれ連通する前記対をなす通水路内に流入し、当該対をなす通水路を経て対応する前記水流出口に流入するようにしたことを特徴とする請求項１記載の切替弁カートリッジ。
【請求項６】
前記カートリッジ本体は、前記複数の通水路を内部に有する略円筒状をなすと共に、その周方向における一方の１８０度の角度範囲に、前記第１、第２及び第３の通水路を６０度間隔で配置し、
前記カートリッジ本体は、更に、その周方向における他方の１８０度の角度範囲に、前記第１、第２及び第３の通水路と点対称となるよう、前記第１、第２及び第３の通水路と同数の追加の通水路としての第４、第５及び第６の通水路を前記第１、第２及び第３の通水路の一定角度間隔と同一の６０度間隔で形成し、前記第１の通水路と前記第４の通水路、前記第２の通水路と前記第５の通水路及び前記第３の通水路と前記第６の通水路の通水路が、それぞれ、前記周方向に１８０度離間して点対称となって互いに対をなすようにし、
前記カートリッジ本体は、更に、前記第４、第５及び第６の通水路をそれぞれの一端（上流端）が前記弁室の下流側で当該弁室と連通するようにし
前記カートリッジ本体は、更に、前記第４の通水路の他端の開口を前記第１の流路溝において前記第１の通水路の開口と１８０度離間して点対称となる位置で開口して、前記切替弁装置本体に装着された状態で、前記第１及び第４の通水路の先端の開口を前記第１の水流出口と連通するようにし、
前記カートリッジ本体は、更に、前記第５の通水路の他端の開口を前記第２の流路溝において前記第２の通水路の開口と１８０度離間して点対称となる位置で開口して、前記切替弁装置本体に装着された状態で、前記第２及び第５の通水路の先端の開口を前記第２の水流出口と連通するようにし、
前記カートリッジ本体は、更に、前記第６の通水路の他端の開口が前記第３の流路溝において前記第１の通水路の開口と１８０度離間して点対称となる位置で開口して、前記切替弁装置本体に装着された状態で、前記第３及び第６の通水路の先端の開口を前記第３の水流出口と連通するよう、または、その挿入方向における先端面で前記第６の通水路の他端の開口が前記第３の通水路の開口と１８０度離間して点対称となる位置で開口して、前記切替弁装置本体に装着された状態で、前記第３及び第６の通水路の先端の開口を前記第３の水流出口と連通するようにし、
前記可動ディスクは、その周方向に１８０度離間した位置に点対称となるよう対をなす第１及び第２の通水孔を形成し、
前記固定ディスクは、その周方向において前記カートリッジ本体の一方の１８０度の角度範囲と対応する一方の１８０度の角度範囲に、前記第１、第２及び第３の通水路とそれぞれ対応する第１、第２及び第３の通水孔を、前記第１、第２及び第３の通水路と同一の６０度間隔で形成し、
前記固定ディスクは、更に、その周方向において前記カートリッジ本体の他方の１８０度の角度範囲と対応する他方の１８０度の角度範囲に、前記第４、第５及び第６の通水路とそれぞれ対応する同数の追加の通水孔としての第４、第５及び第６の通水孔を、前記第４、第５及び第６の通水路と同一の６０度間隔で形成して、前記第１の通水孔と前記第４の通水孔、前記第２の通水孔と前記第５の通水孔及び前記第３の通水孔と前記第６の通水孔が、それぞれ、前記周方向に１８０度離間して点対称となって互いに対をなすようにし、
前記ハンドルは、前記可動ディスクを正逆方向にそれぞれ６０度間隔で無限に回動自在であり、
前記ハンドルにより前記可動ディスクを６０度間隔で回動して当該可動ディスクの第１の通水孔を前記固定ディスクの第１、第２または第３の通水孔のいずれかと選択的に連通することにより、前記可動ディスクの第２の通水孔が前記固定ディスクの第４、第５及び第６の通水孔うち前記連通した通水孔と対をなす通水孔とも連通して、当該可動ディスクの第１及び第２の通水孔の対が前記固定ディスクの第１の通水孔と第４の通水孔、第２の通水孔と第５の通水孔または第３の通水孔と第６の通水孔のいずれかの対と選択的に連通するようにし、
前記ハンドルにより前記可動ディスクを第１の回動角度位置に回動して当該可動ディスクの第1及び第２の通水孔を前記固定ディスクの第１及び第４の通水孔と連通することにより、前記流入路からの流水が前記可動ディスクの第１及び第２の通水孔から前記固定ディスクの第１及び第４の通水孔を介して、当該固定ディスクの第１及び第４の通水孔に連通する前記第１及び第４の通水路内に流入し、当該第１及び第４の通水路から前記第１の流路溝を経て対応する前記第１の水流出口に流入するようにし、
また、前記ハンドルにより前記可動ディスクを第２の回動角度位置に回動して当該可動ディスクの第１及び第２の通水孔を前記固定ディスクの第２及び第５の通水孔と連通することにより、前記流入路からの流水が前記可動ディスクの第１及び第２の通水孔から前記固定ディスクの第２及び第５の通水孔を介して、当該固定ディスクの第２及び第５の通水孔に連通する前記第２及び第５の通水路内に流入し、当該第２及び第５の通水路から前記第２の流路溝を経て対応する前記第２の水流出口に流入するようにし、
また、前記ハンドルにより前記可動ディスクを第３の回動角度位置に回動して当該可動ディスクの第１及び第２の通水孔を前記固定ディスクの第３及び第６の通水孔と連通することにより、前記流入路からの流水が前記可動ディスクの第１及び第２の通水孔から前記固定ディスクの第３及び第６の通水孔を介して、当該固定ディスクの第３及び第６の通水孔に連通する前記第３及び第６の通水路内に流入し、当該第３及び第６の通水路から対応する前記第３の水流出口に流入した後、前記第３の水流出口から前記外部給水装置を経て前記第２の水流入口に還流し、前記第２の水流入口と対応する前記第１の流路溝を経て前記第１の水流出口から流出するようにしたことを特徴とする請求項４記載の切替弁カートリッジ。
【請求項７】
前記カートリッジ本体は、その軸方向の一端側の略半部を構成する流入側本体と、その軸方向の他端側の略半部を構成する流出側本体とからなり、
前記流入側本体及び流出側本体は、それらの対向端に、凹部状の係合部及び凸部状の係止部をそれぞれ形成すると共に、前記係止部は前記係合部の凹部形状に応じて当該係合部内に弾性的に嵌合して着脱自在に係止される凸部状をなし、前記流入側本体と流出側本体とは前記係合部への前記係止部の係止によって互いに連結自在であり、その連結状態で前記弁室を内部に形成し、
前記ハンドルには、更に、前記流入側本体の内部を軸方向に延びる栓棒が一体的に回動するよう固定されると共に、前記栓棒の先端には、略円盤状の操作盤が一体的に回動するよう固定され、
前記操作盤は、前記可動ディスクに対して軸方向に着脱自在に嵌合されて、前記可動ディスクの前記固定ディスクとの摺接面と反対側の面である非摺接面側で当該可動ディスクを周方向に係止して固定する可動ディスク用の係止部を有し、
前記流出側本体は、前記固定ディスクを軸方向に着脱自在に嵌合して、前記固定ディスクの通水孔を対応する前記通水路に対向配置した状態で、当該固定ディスクをその一端に係止して周方向に固定する固定ディスク用の係止部を有し、
前記可動ディスクを前記操作盤に前記可動ディスク用の係止部を介して固定すると共に、前記固定ディスクを前記流入側本体の一端に前記固定ディスク用の係止部を介して係止した状態で、前記流入側本体と流出側本体とを互いに連結することにより、全体が一体化されてカートリッジ化され、前記可動ディスク及び前記固定ディスクからなる前記弁機構が前記流入側本体内の前記弁室に収容されるようにしたことを特徴とする請求項１乃至６のいずれか１項記載の切替弁カートリッジ。
【請求項８】
前記カートリッジ本体は、その軸方向の一端側の略半部を構成する流入側本体と、その軸方向の他端側の略半部を構成する流出側本体とからなり、
前記流入側本体及び流出側本体は、それらの対向端に、凹部状の係合部及び凸部状の係止部をそれぞれ形成すると共に、前記係止部は前記係合部の凹部形状に応じて当該係合部内に弾性的に嵌合して着脱自在に係止される凸部状をなし、前記流入側本体と流出側本体とは前記係合部への前記係止部の係止によって互いに連結自在であり、その連結状態で前記弁室を内部に形成し、
前記ハンドルには、更に、前記流入側本体の内部を軸方向に延びる栓棒が一体的に回動するよう固定されると共に、前記栓棒の先端には、略円盤状の操作盤が一体的に回動するよう固定され、
前記操作盤は、前記可動ディスクに対して軸方向に着脱自在に嵌合されて、前記可動ディスクの前記固定ディスクとの摺接面と反対側の面である非摺接面側で当該可動ディスクを周方向に係止して固定する可動ディスク用の係止部を有し、
前記流出側本体は、前記固定ディスクを軸方向に着脱自在に嵌合して、前記固定ディスクの通水孔を対応する前記通水路に対向配置した状態で、当該固定ディスクをその一端に係止して周方向に固定する固定ディスク用の係止部を有し、
前記可動ディスクを前記操作盤に前記可動ディスク用の係止部を介して固定すると共に、前記固定ディスクを前記流入側本体の一端に前記固定ディスク用の係止部を介して係止した状態で、前記流入側本体と流出側本体とを互いに連結することにより、全体が一体化されてカートリッジ化され、前記可動ディスク及び前記固定ディスクからなる前記弁機構が前記流入側本体内の前記弁室に収容されるようにし、
前記ハンドルには、更に、一体的に回動する環状部材が前記栓棒の基端側に同軸上となるよう固定されると共に、前記環状部材は、その外周面に、前記固定ディスクの通水孔の配置角度間隔と同一の一定角度間隔で前記通水孔の数と同一数の係合凹部を形成し、当該係合凹部をそれぞれ前記通水孔と同一角度位置に配置するよう前記ハンドルに固定され、
前記流入側本体は、前記環状部材の各係合凹部と弾性的に係合する球状部材を前記環状部材と当接状態で内装し、
前記ハンドルを正逆方向に回動することにより、前記固定ディスクの配置角度間隔ごとに前記球状部材が前記環状部材の各係合凹部と弾性的に当接して、前記前記可動ディスクを前記固定ディスクの配置角度間隔ごとにクリック感を付与しつつ位置決めするようにしたことを特徴とする請求項４または６記載の切替弁カートリッジ。
【請求項９】
請求項１乃至８のいずれか１項記載の切替弁カートリッジを前記切替弁装置本体に内装してなる切替弁装置であって、
前記切替弁装置本体は、前記水流入口と、前記第１の水流出口と、前記第２の水流出口と、前記装着口とを一体的に設けた本体基部と、前記本体基部と別体で形成され、前記第３の水流出口と前記第２の水流入口とを一体的に設けた外部用連結部材とを有し、
前記切替弁カートリッジは、その基端部の外周に雄螺子を形成し、
前記基部本体は、前記切替弁カートリッジの雄螺子と螺合する雌螺子を前記装着口の内周面に形成して、前記切替弁カートリッジを螺入または螺退することにより前記装着口に対して装着及び取り外し自在とし、
前記本体基部は、前記外部用連結部材の第３の水流出口と前記第２の水流入口に対向する位置に当該第３の水流出口及び前記第２の水流入口に対向する外部用開口を有し、
前記外部用連結部材は、前記基部本体の外部用開口に前記第３の水流出口及び第２の水流入口を対向配置した状態で、前記基部本体に螺着されて着脱自在に固定されることを特徴とする切替弁装置。
【発明の詳細な説明】
【技術分野】
【０００１】
本発明は、切替コック等の切替弁装置に内蔵されて複数段階の弁切換動作を行い、同切替弁装置内で複数の流路を形成して、同切替弁装置による流水の流路切替動作を可能とする切替弁カートリッジ、及び、同切替弁カートリッジを内蔵した切替弁装置に関するものである。
【背景技術】
【０００２】
切替弁装置としては、例えば、水栓の吐水口に着脱自在に装着されるもの切替弁（切替コックとも言う）がある。この切替弁は、例えば、ハンドルにより原水ストレート吐水用の原水ストレート位置と、原水シャワー吐水用の原水シャワー位置と、浄水吐水用の浄水位置との間で切替自在とされ、３方向の流路（原水ストレート用流路、原水シャワー用流路、浄水用流路）を選択的に切替自在な三方弁として具体化される。或いは、切替弁は、特許文献１（特開２００４−３４６９５８号公報）に記載のように、４方向の流路（原水ストレート用流路、原水シャワー用流路、浄水ストレート用流路、浄水シャワー用流路）を選択的に切替自在な四方弁として具体化されたり、特許文献２（特開２００７−３０９３３３号公報）に記載のように、５方向の流路を選択的に切替自在な五方弁として具体化されたり、逆に、特許文献３（特開２０００−２６６１９９号公報）に記載のように、２方向の流路を選択的に切替自在な二方弁として具体化されたりする。即ち、切替弁は、２方向以上の流路を選択的に切替自在なものとして具体化することができる。更に、切替弁に接続する外部給水装置は、一般的には浄水器であるが、それ以外にも、食器洗浄機等の浄水器以外の装置とすることもできる。なお、一般に、これら切替弁の弁機構は、流路の数に対応して球状弁体と弁座とを設け、球状弁体を弁座から離間させたり弁座に着座させたりして流路の開閉を行ったり、流路の数に対応して円筒状弁体に複数の弁孔を設け、円筒状弁体を周方向に回動する対応する弁座の弁孔との連通及び連通遮断を行って、流路の切替を行っている。
【０００３】
一方、従来、球状弁体等の代わりに、セラミックディスクを使用した弁機構も提案されている。例えば、特許文献４（特開平７−２２９５７２号公報）には、セラミック製ディスクを用いた三方弁が開示されている。この三方弁は、同文献の要約に記載のように、円柱状弁本体に、流入路と第１の流出路とを不連続状に設け、この第１の流出路に直交して第２の流出路を設け、この第２の流出路の奥を弁室にし、この弁室に固定、可動のセラミック製ディスク弁を設け、このディスク弁で流入路と第１または第２の流出路に連通して切換える三方弁としている。また、この三方弁は、前記ディスク弁の可動ディスクの外周に係止され、かつ、円柱状弁本体の外周で回転するハンドルを設け、このハンドルにより、前記切換えをすることにより、ディスクの通水口が大きくとれ、しかも軸方向にハンドルがないので、三方弁がコンパクトになると記載されている。
【特許文献１】特開２００４−３４６９５８号公報
【特許文献２】特開２００７−３０９３３３号公報
【特許文献３】特開２０００−２６６１９９号公報
【特許文献４】特開平７−２２９５７２号公報
【発明の開示】
【発明が解決しようとする課題】
【０００４】
ここで、セラミックディスクを使用した弁機構を備える切替弁装置は、全体をコンパクトに設計できる等の利点を有するため好ましいものであるが、セラミックディスクからなる固定ディスク及び可動ディスクは、使用に伴う摺動摩擦により摺動面が磨耗するため、一定期間を経過すると所期の弁機能を発揮しなくなる。この場合、固定ディスクまたは可動ディスクの少なくとも一方に磨耗等による交換の必要が生じた場合でも、当該交換する必要のある固定ディスクまたは可動ディスクのみを交換することは非常に困難であり、切替弁装置全体を交換する必要がある。具体的には、特許文献４の三方切替弁の場合、その段落０００８〜００１３に記載のように、弁本体には、軸直交方向に、流入側ジョイント部と第１の流出側ジョイント部とが螺着すると共に、軸方向の片側には第２の流出側ジョイント部が螺着し、第１及び第２の流出側ジョイント部が互いに直交している。第２の流出側ジョイント部の奥側は、ディスク弁の弁室とされている。ディスク弁はセラミック製であって、固定ディスクと可動ディスクとがグリ−ス等を塗布して重合されている。固定ディスクの可動ディスクとの摺動面側には、固定ディスクの中心を点対称として対向するよう、扇形の流入側通水口及び扇形の流出側通水口が開口している。また、固定ディスクの反摺動面側には、カラーパッキンを収容するパッキン凹部と、２つのバネ受筒をそれぞれ収容する筒凹部とが、それぞれ凹設されている。パッキン凹部には、前記２つの通水口の一方が開口している。また、各バネ受筒には圧縮形コイルバネが収容されている。このコイルバネは、バネ受筒と、前記弁本体に凹設されたバネ受筒用凹部とをバネ受としている。可動ディスクは、その外輪側面ラインで軽く摺動するリブ壁板をもつ車輪状に構成され、仕切られた通水口が開口されている。即ち、可動ディスクの摺動面側には、前記固定ディスクの流入側通水口の開口部を囲む大きさの扇形状仕切壁が設けられ、この仕切壁内に、第２の流出部側ジョイント部と連通する１つの通水口が開口されている。そして、この仕切壁によって第１または第２の流出側ジョイント部への切換えをする。この可動ディスクの外周面の対向する位置には、軸方向に延びる２つの係合溝が設けられている。これらの係合溝には、２つ割りのツマミ型ハンドルの足が、弁本体に設けた切欠を介して挿入され、このツマミ型ハンドルを９０度の範囲で回転させることにより、弁切換えを行う。
【０００５】
このように、特許文献４の三方切替弁は、ディスク弁（固定ディスク及び可動ディスク）周辺の構造が精密であり、その組付けに精度を要するため、一旦製品として組み立てられた後は、再度各部品を分解して再組立することは非常に困難である。その結果、弁機構乃至流路の分岐構造を構成する固定ディスク若しくは可動ディスクまたはその関連部品が、三方切替弁の使用に伴って磨耗、劣化、破損等した場合でも、三方切替弁を分解して当該部品のみを交換することは非常に困難であり、三方切替弁自体を交換する必要がある。また、セラミックディスクの場合、固定ディスクと可動ディスクとの間の摺動面に水中のごみ等の小異物が挟持されることがあり、この場合、固定ディスクと可動ディスクとの間の摺動面での水密構造が崩れて、ディスク弁周辺への水漏れを生じたり、或いは、固定ディスクまたは可動ディスクの摺動面に傷が付き、やはりそれらの摺動面での水密構造が崩れて、ディスク弁周辺への水漏れを生じたりすることが考えられる。しかし、この場合でも、特許文献４の三方切替弁は、固定ディスクや可動ディスクを交換することが困難であり、はやり、三方切替弁全体を交換する必要がある。
【０００６】
また、特許文献４の三方切替弁は、ディスク弁（固定ディスク及び可動ディスク）周辺の構造が精密であり、その組付けに精度を要するため、一旦製品として組み立てられた後は、再度各部品を分解して再組立することは非常に困難である。その結果、弁機構を構成する固定ディスク若しくは可動ディスクまたはその関連部品が、三方切替弁の使用に伴って磨耗、劣化、破損等した場合でも、三方切替弁を分解して当該部品のみを交換することは非常に困難であり、三方切替弁自体を交換する必要がある。
【０００７】
そこで、本発明は、ディスク弁やその関連部品を含む弁機構を一体的に組付けてカートリッジ化することにより、原水・浄水切替弁装置を含む各種の切替弁装置の本体ケース内に着脱自在に組付けて、ディスク弁等の弁機構を単体で簡単に交換することができる切替弁カートリッジ、及び、かかる切替弁カートリッジを組付けた切替弁装置の提供を課題とする。
【課題を解決するための手段】
【０００８】
請求項１に係る切替弁カートリッジは、ケース状の切替弁装置本体に、水流入口と、複数の水流出口と、装着口とを形成してなる切替弁装置用の切替弁カートリッジである。切替弁カートリッジは、前記切替弁装置本体の装着口から軸方向に挿入して内装され、前記装着口に水密に着脱自在とされたカートリッジ本体と、前記カートリッジ本体の内部に装着されるセラミックディスクからなる弁機構と、前記カートリッジ本体に装着されて、前記弁機構を外部から弁操作するハンドルとを備える。また、前記カートリッジ本体は、一端（上流端）を外部に開口した流入路と、前記流入路の下流側で当該流入路と連通する弁室と、前記弁室の下流側で当該弁室とそれぞれの一端（上流端）が連通すると共にそれぞれの他端（下流端）が外部に開口する複数の通水路とを有し、前記複数の通水路を前記切替弁装置本体の複数の水流出口の数に応じて形成している。更に、前記カートリッジ本体は、前記切替弁装置本体に装着された状態で、前記流入路の一端の開口を前記切替弁装置本体の水流入口と（Ｏリング等によるシールにより）水密に連通して当該水流入口からの流水を内部に導入して前記弁室に通水すると共に、前記複数の通水路の他端の開口を前記切替弁装置の水流出口の一端（上流端）の開口にそれぞれ水密に連通してそれぞれの水流出口へ通水自在である。また、前記弁機構は、前記カートリッジ本体の弁室に同軸上に装着される可動ディスク及び固定ディスクを有している。また、前記可動ディスクは、少なくとも１個の通水孔を貫通形成している。更に、前記固定ディスクは、少なくとも前記通水路の数と同一数の通水孔を周方向に所定角度を置いて貫通形成すると共に、当該複数の通水孔を前記カートリッジ本体の複数の通水路の一端の開口（上流端）と対向配置して（連通状態で）装着されている。また、前記ハンドルは前記可動ディスクに作動連結され、前記可動ディスクを回動自在である。そして、前記ハンドルにより前記可動ディスクを回動して当該可動ディスクの通水孔を前記固定ディスクの複数の通水孔のいずれか１つと選択的に連通することにより、前記流入路からの流水が当該可動ディスクの通水孔から対応する当該固定ディスクの通水孔を介して、当該固定ディスクの通水孔に連通する前記通水路内に流入し、当該通水路を経て対応する前記水流出口に流入するようにしている。
【０００９】
請求項２に係る切替弁カートリッジは、請求項１の構成において、切替弁装置本体に、１つの水流入口と、前記複数の水流出口としての第１の水流出口（原水吐水口等）及び第２の水流出口（浄水器用給水口等）とを有し、前記水流入口と前記第１の水流出口とを同軸上に配置すると共に、前記第２の水流出口を前記水流入口と第１の水流出口との間の空間と重ならない位置に配置した切替弁装置に適用することができる。この場合、好ましくは、切替弁装置本体の第２の水流出口は、第１の水流出口に対して前記切替弁カートリッジの挿入方向乃至軸方向に離間した位置に配置する。一方、切替弁カートリッジの前記カートリッジ本体は、前記第１の水流出口及び第２の水流出口と対応して、前記複数の通水路としての第１の通水路及び第２の通水路を有している。また、前記カートリッジ本体は、前記水流入口と前記第１の水流出口とを結ぶ軸（水流入口からの流水方向）と交差し（好ましくは直交し）、かつ、前記第２の水流出口の軸（第２の水流出口への流水方向）と交差するよう（好ましくは直交するよう）前記切替弁装置本体の内部に挿入して装着されている。更に、前記カートリッジ本体は、更に、その挿入方向における基端から軸方向に所定距離を置いた位置（例えば、基端側の所定幅の部位）に、その外周面の周方向全長を延びる凹溝状（乃至リング溝状）の流路溝を有すると共に、前記第１の通水路の他端の開口を前記流路溝の底面で開口しており、前記切替弁装置本体に装着された状態で、前記流路溝の幅方向両側部（例えば、両側のＯリング溝内のＯリング）を前記切替弁装置本体の内面に水密に密接して封止することにより、前記流路溝を前記第１の水流出口と連通する（一部が対向配置される）。また、前記カートリッジ本体は、更に、その挿入方向における先端面で前記第２の通水路の他端の開口を開口しており、前記切替弁装置本体に装着された状態で、前記第２の通水路の先端の開口を（装置本体の奥側の直交空間である通水路等を介して）前記第２の水流出口と連通する。また、前記固定ディスクは、前記カートリッジ本体の第１の通水路の一端の開口と対向配置される第１の通水孔と、前記カートリッジ本体の第２の通水路の一端の開口と対向配置される第２の通水孔とを有している。そして、前記ハンドルにより前記可動ディスクを第１の回動角度位置に回動して当該可動ディスクの通水孔を前記固定ディスクの第１の通水孔と連通することにより、前記流入路からの流水が前記可動ディスクの通水孔から前記固定ディスクの第１の通水孔を介して、当該固定ディスクの第１の通水孔に連通する前記第１の通水路内に流入し、当該第１の通水路から前記流路溝を経て対応する前記第１の水流出口に流入するようにしている。また、前記ハンドルにより前記可動ディスクを第２の回動角度位置に回動して当該可動ディスクの通水孔を前記固定ディスクの第２の通水孔と連通することにより、前記流入路からの流水が前記可動ディスクの通水孔から前記固定ディスクの第２の通水孔を介して、当該固定ディスクの第２の通水孔に連通する前記第２の通水路内に流入し、当該第２の通水路を経て対応する前記第２の水流出口に流入するようにしている。この構成は、二方切替弁等の構成として好適である。
【００１０】
請求項３に係る切替弁カートリッジは、請求項１の構成において、前記切替弁装置本体として、前記水流入口としての第１の水流入口（原水流入口等）と、前記複数の水流出口の一つとしての第１の水流出口（吐水口等）と、前記複数の水流出口の他の一つとしての外部給水装置（浄水器や活水器・整水器等の水処理装置、食器洗浄機等の水利用装置等）用の第２の水流出口（浄水器用の給水口等）とを有すると共に、更に、前記第２の水流出口から前記外部給水装置を経て還流した水（浄水等）を導入するための第２の水流入口を有したものに適用することができる。この場合、前記切替弁装置本体は、前記第１の水流入口と前記第１の水流出口とを同軸上に配置すると共に、前記第２の水流出口を前記第１の水流入口と第１の水流出口との間の空間と重ならない（連通しない）位置に配置し、更に、前記第２の水流入口を（好ましくは、前記第２の水流出口と隣接する位置で）前記第１の水流入口と第１の水流出口との間の空間と重なる（連通する）位置に配置する。また、前記カートリッジ本体は、前記第１の水流出口及び第２の水流出口と対応して、前記複数の通水路としての第１の通水路及び第２の通水路をそれぞれ有している。更に、前記カートリッジ本体は、前記第１の水流入口と前記第１の水流出口とを結ぶ軸（水流入口からの流水方向）と交差し（好ましくは直交し）、かつ、前記第２の水流出口の軸（第２の水流出口への流水方向）と交差し（好ましくは直交し）、かつ、前記第２の水流入口の軸（第２の水流入口からの流水方向）と交差するよう（好ましくは直交するよう）前記切替弁装置本体の内部に挿入して装着されている。また、前記カートリッジ本体は、更に、その挿入方向における基端から軸方向に所定距離を置いた位置（例えば、基端側の所定幅の部位）に、その外周面の周方向全長を延びる凹溝状（乃至リング溝状）の第１の流路溝を有すると共に、前記第１の通水路の他端の開口を前記第１の流路溝の底面で開口しており、前記切替弁装置本体に装着された状態で、前記第１の流路溝の幅方向両側部（両側のＯリング溝内のＯリング等）を前記切替弁装置本体の内面に水密に密接して封止することにより、前記第１の流路溝を前記第１の水流入口と第１の水流出口との間の空間（少なくともその一部）を介して前記第１の水流出口と連通している（少なくとも一部が対向配置される）。また、前記カートリッジ本体は、更に、その挿入方向における基端から前記第１の流路溝よりも更に軸方向に所定距離を置いた位置（例えば、先端側の所定幅の部位）に、その外周面の周方向全長を延びる凹溝状（乃至リング溝状）の第２の流路溝を有すると共に、前記第２の通水路の他端の開口を前記第２の流路溝の底面で開口しており、前記第２の流路溝の幅方向両側部（両側のＯリング溝内のＯリング等）を前記切替弁装置本体の内面に水密に密接して封止することにより、前記第２の流路溝を前記第２の水流出口と連通している。また、前記固定ディスクは、前記カートリッジ本体の第１の通水路の一端の開口と対向配置される第１の通水孔と、前記カートリッジ本体の第２の通水路の一端の開口と対向配置される第２の通水孔とを有している。そして、前記ハンドルにより前記可動ディスクを第１の回動角度位置に回動して当該可動ディスクの通水孔を前記固定ディスクの第１の通水孔と連通することにより、前記流入路からの流水が前記可動ディスクの通水孔から前記固定ディスクの第１の通水孔を介して、当該固定ディスクの第１の通水孔に連通する前記第１の通水路内に流入し、当該第１の通水路から前記第１の流路溝を経て対応する前記第１の水流出口に流入するようにしている。また、前記ハンドルにより前記可動ディスクを第２の回動角度位置に回動して当該可動ディスクの通水孔を前記固定ディスクの第２の通水孔と連通することにより、前記流入路からの流水が前記可動ディスクの通水孔から前記固定ディスクの第２の通水孔を介して、当該固定ディスクの第２の通水孔に連通する前記第２の通水路内に流入し、当該第２の通水路から前記第２の流路溝を経て対応する前記第２の水流出口に流入した後、前記第２の水流出口から前記外部給水装置を経て前記第２の水流入口に還流し、前記第２の水流入口と対応する（前記第１の水流入口と第１の水流出口との間の空間（少なくともその一部）を介して重なる位置にある）前記第１の流路溝を経て前記第１の水流出口から流出するようにしている。
【００１１】
請求項４に係る切替弁カートリッジは、請求項１の構成において、前記切替弁装置本体として、前記水流入口としての第１の水流入口（原水流入口等）と、前記複数の水流出口の一つとしての第１の水流出口（ストレート吐水口等）と、前記複数の水流出口の他の一つとしての第２の水流出口（シャワー吐水口等）と、前記複数の水流出口の他の一つとしての外部給水装置（浄水器や活水器・整水器等の水処理装置、食器洗浄機等の水利用装置等）用の第３の水流出口（浄水器用の給水口等）とを有すると共に、更に、前記第３の水流出口から前記外部給水装置を経て還流した水（浄水等）を導入するための第２の水流入口を有するものに適用することができる。この場合、前記切替弁装置本体は、前記第１の水流入口と前記第１の水流出口とを同軸上に配置すると共に、前記第１の水流入口と前記第２の水流出口とを前記第１の水流出口に隣接して（例えば、第２の水流出口の周囲に）同軸上に配置し、更に、前記第３の水流出口を前記第１の水流入口と第１の水流出口との間の空間と重ならない位置に配置し、更に、前記第２の水流入口を（例えば、前記第３の水流出口と隣接する位置で）前記第１の水流入口と第１の水流出口との間の空間と重なる位置に配置する。また、前記カートリッジ本体は、前記第１の水流出口、第２の水流出口及び第３の水流出口と対応して、前記複数の通水路としての第１の通水路、第２の通水路及び第３の通水路をそれぞれ有している。更に、前記カートリッジ本体は、前記第１の水流入口と前記第１の水流出口とを結ぶ軸と交差し、かつ、前記第２の水流出口の軸と交差し、かつ、前記第２の水流入口の軸と交差するよう、前記切替弁装置本体の内部に挿入して装着される。また、前記カートリッジ本体は、更に、その挿入方向における基端から軸方向に所定距離を置いた位置に、その外周面の周方向全長を延びる凹溝状の第１の流路溝を有すると共に、前記第１の通水路の他端の開口を前記第１の流路溝の底面で開口しており、前記切替弁装置本体に装着された状態で、前記第１の流路溝の幅方向両側部を前記切替弁装置本体の内面に水密に密接して封止することにより、前記第１の流路溝を前記第１の水流入口と第１の水流出口との間の空間を介して前記第１の水流出口と連通する。また、前記カートリッジ本体は、更に、その挿入方向における基端から前記第１の流路溝よりも更に軸方向に所定距離を置いた位置に、その外周面の周方向全長を延びる凹溝状の第２の流路溝を有すると共に、前記第２の通水路の他端の開口を前記第２の流路溝の底面で開口しており、前記第２の流路溝の幅方向両側部を前記切替弁装置本体の内面に水密に密接して封止することにより、前記第２の流路溝を前記第２の水流出口と連通する。また、前記カートリッジ本体は、更に、その挿入方向における基端から前記第２の流路溝よりも更に軸方向に所定距離を置いた位置に、その外周面の周方向全長を延びる凹溝状（乃至リング溝状）の第３の流路溝を有すると共に、前記第３の通水路の他端の開口を前記第３の流路溝の底面で開口し、前記第３の流路溝の幅方向両側部（両側のＯリング溝内のＯリング等）を前記切替弁装置本体の内面に水密に密接して封止することにより、前記第３の流路溝を前記第３の水流出口と連通し、または、その挿入方向における先端面で前記第３の通水路の他端の開口を開口し、前記切替弁装置本体に装着された状態で、前記第３の通水路の先端の開口を（例えば、切替弁装置本体の奥側の直交空間等を介して）前記第３の水流出口と連通する。また、前記固定ディスクは、前記カートリッジ本体の第１の通水路の一端の開口と対向配置される第１の通水孔と、前記カートリッジ本体の第２の通水路の一端の開口と対向配置される第２の通水孔と、前記カートリッジ本体の第３の通水路の一端の開口と対向配置される第３の通水孔とを有している。そして、前記ハンドルにより前記可動ディスクを第１の回動角度位置に回動して当該可動ディスクの通水孔を前記固定ディスクの第１の通水孔と連通することにより、前記流入路からの流水が前記可動ディスクの通水孔から前記固定ディスクの第１の通水孔を介して、当該固定ディスクの第１の通水孔に連通する前記第１の通水路内に流入し、当該第１の通水路から前記第１の流路溝を経て対応する前記第１の水流出口に流入するようにしている。また、前記ハンドルにより前記可動ディスクを第２の回動角度位置に回動して当該可動ディスクの通水孔を前記固定ディスクの第２の通水孔と連通することにより、前記流入路からの流水が前記可動ディスクの通水孔から前記固定ディスクの第２の通水孔を介して、当該固定ディスクの第２の通水孔に連通する前記第２の通水路内に流入し、当該第２の通水路から前記第２の流路溝を経て対応する前記第２の水流出口に流入するようにしている。また、前記ハンドルにより前記可動ディスクを第３の回動角度位置に回動して当該可動ディスクの通水孔を前記固定ディスクの第３の通水孔と連通することにより、前記流入路からの流水が前記可動ディスクの通水孔から前記固定ディスクの第３の通水孔を介して、当該固定ディスクの第３の通水孔に連通する前記第３の通水路内に流入し、当該第３の通水路から対応する前記第２の水流出口に流入した後、前記第２の水流出口から前記外部給水装置を経て前記第２の水流入口に還流し、前記第２の水流入口と対応する前記第１の流路溝を経て前記第１の水流出口から流出するようにしている。
【００１２】
請求項５に係る切替弁カートリッジは、請求項１の構成において、前記カートリッジ本体は、前記複数の通水路を内部に有する略円筒状（乃至蓮根状）をなすと共に、その周方向における一方の１８０度の角度範囲に、前記複数の通水路を一定角度間隔（１８０度をその数で除した角度間隔）で配置している（好ましくは、各通水路は軸方向に沿って互いに平行に延びる）。また、前記カートリッジ本体は、更に、その周方向における他方の１８０度の角度範囲に、（好ましくは、その中心に関して前記複数の通水路と点対称となるよう）前記複数の通水路と同数の追加の通水路を前記複数の通水路の一定角度間隔と同一の一定角度間隔で形成し、前記複数の通水路の各々と前記追加の複数の通水路の各々とが前記周方向に１８０度離間して（好ましくは点対称となって）互いに対をなすようにしている。更に、前記複数の追加の通水路は、（好ましくは、前記複数の通水路とそれぞれが点対称となるよう）前記弁室の下流側で当該弁室とそれぞれの一端（上流端）が連通すると共にそれぞれの他端（下流端）が外部に開口している。また、前記可動ディスクは、その周方向に１８０度離間した位置に（好ましくは、点対称となるよう）一対の通水孔を形成している。また、前記固定ディスクは、その周方向において前記カートリッジ本体の一方の１８０度の角度範囲と対応する一方の１８０度の角度範囲に、前記複数の通水路とそれぞれ対応する複数の通水孔を、前記複数の通水路と同一の一定角度間隔で形成している。また、前記固定ディスクは、更に、その周方向において前記カートリッジ本体の他方の１８０度の角度範囲と対応する他方の１８０度の角度範囲に、前記追加の複数の通水路とそれぞれ対応する同数の追加の通水孔を、前記複数の追加の通水路と同一の一定角度間隔で形成して、前記複数の通水孔の各々と前記追加の複数の通水孔の各々とが前記周方向に１８０度離間して（好ましくは、点対称となって）互いに対をなすようにしている。また、前記ハンドルは、前記可動ディスクを正逆方向にそれぞれ３６０度以上回動自在（無限に連続周回可能）である。そして、前記ハンドルにより前記可動ディスクを回動して当該可動ディスクの通水孔の一方を前記固定ディスクの複数の通水孔のいずれか１つと選択的に連通することにより、前記可動ディスクの他方の通水孔が前記固定ディスクの追加の通水孔のうち前記連通した通水孔と対をなす追加の通水孔とも連通するようにし、これにより、前記流入路からの流水が当該可動ディスクの一対の通水孔から対応する当該固定ディスクの対をなす通水孔及び追加の通水孔を介して、当該固定ディスクの対をなす通水孔及び追加の通水孔にそれぞれ連通する前記対をなす通水路内に流入（上流端の開口から内部に流入）し、当該対をなす通水路を経て（各通水路の下流端の開口から）対応する前記水流出口（上流端の開口）に流入するようにしている。
【００１３】
請求項６に係る切替弁カートリッジは、請求項４の構成において、前記カートリッジ本体が、前記複数の通水路を内部に有する略円筒状をなすと共に、その周方向における一方の１８０度の角度範囲に、前記第１、第２及び第３の通水路を６０度間隔で配置している。また、前記カートリッジ本体は、更に、その周方向における他方の１８０度の角度範囲に、前記第１、第２及び第３の通水路と点対称となるよう、前記第１、第２及び第３の通水路と同数の追加の通水路としての第４、第５及び第６の通水路を前記第１、第２及び第３の通水路の一定角度間隔と同一の６０度間隔で形成し、前記第１の通水路と前記第４の通水路、前記第２の通水路と前記第５の通水路及び前記第３の通水路と前記第６の通水路の通水路が、それぞれ、前記周方向に１８０度離間して点対称となって互いに対をなすようにしている。また、前記カートリッジ本体は、更に、前記第４、第５及び第６の通水路をそれぞれの一端が前記弁室の下流側で当該弁室と連通するようにしいている。また、前記カートリッジ本体は、更に、前記第４の通水路の他端の開口を前記第１の流路溝において前記第１の通水路の開口と１８０度離間して点対称となる位置で開口して、前記切替弁装置本体に装着された状態で、前記第１及び第４の通水路の先端の開口を前記第１の水流出口と連通するようにしている。また、前記カートリッジ本体は、更に、前記第５の通水路の他端の開口を前記第２の流路溝において前記第２の通水路の開口と１８０度離間して点対称となる位置で開口して、前記切替弁装置本体に装着された状態で、前記第２及び第５の通水路の先端の開口を前記第２の水流出口と連通するようにしている。また、前記カートリッジ本体は、更に、前記第６の通水路の他端の開口が前記第３の流路溝において前記第１の通水路の開口と１８０度離間して点対称となる位置で開口して、前記切替弁装置本体に装着された状態で、前記第３及び第６の通水路の先端の開口を前記第３の水流出口と連通するよう、または、その挿入方向における先端面で前記第６の通水路の他端の開口が前記第３の通水路の開口と１８０度離間して点対称となる位置で開口して、前記切替弁装置本体に装着された状態で、前記第３及び第６の通水路の先端の開口を前記第３の水流出口と連通するようにしている。また、前記可動ディスクは、その周方向に１８０度離間した位置に点対称となるよう対をなす第１及び第２の通水孔を形成している。また、前記固定ディスクは、その周方向において前記カートリッジ本体の一方の１８０度の角度範囲と対応する一方の１８０度の角度範囲に、前記第１、第２及び第３の通水路とそれぞれ対応する第１、第２及び第３の通水孔を、前記第１、第２及び第３の通水路と同一の６０度間隔で形成している。また、前記固定ディスクは、更に、その周方向において前記カートリッジ本体の他方の１８０度の角度範囲と対応する他方の１８０度の角度範囲に、前記第４、第５及び第６の通水路とそれぞれ対応する同数の追加の通水孔としての第４、第５及び第６の通水孔を、前記第４、第５及び第６の通水路と同一の６０度間隔で形成して、前記第１の通水孔と前記第４の通水孔、前記第２の通水孔と前記第５の通水孔及び前記第３の通水孔と前記第６の通水孔が、それぞれ、前記周方向に１８０度離間して点対称となって互いに対をなすようにしている。また、前記ハンドルは、前記可動ディスクを正逆方向にそれぞれ６０度間隔で無限に回動自在である。そして、前記ハンドルにより前記可動ディスクを６０度間隔で回動して当該可動ディスクの第１の通水孔を前記固定ディスクの第１、第２または第３の通水孔のいずれかと選択的に連通することにより、前記可動ディスクの第２の通水孔が前記固定ディスクの第４、第５及び第６の通水孔うち前記連通した通水孔と対をなす通水孔とも連通して、当該可動ディスクの第１及び第２の通水孔の対が前記固定ディスクの第１の通水孔と第４の通水孔、第２の通水孔と第５の通水孔または第３の通水孔と第６の通水孔のいずれかの対と選択的に連通するようにしている。また、前記ハンドルにより前記可動ディスクを第１の回動角度位置に回動して当該可動ディスクの第1及び第２の通水孔を前記固定ディスクの第１及び第４の通水孔と連通することにより、前記流入路からの流水が前記可動ディスクの第１及び第２の通水孔から前記固定ディスクの第１及び第４の通水孔を介して、当該固定ディスクの第１及び第４の通水孔に連通する前記第１及び第４の通水路内に流入し、当該第１及び第４の通水路から前記第１の流路溝を経て対応する前記第１の水流出口に流入するようにしている。また、また、前記ハンドルにより前記可動ディスクを第２の回動角度位置に回動して当該可動ディスクの第１及び第２の通水孔を前記固定ディスクの第２及び第５の通水孔と連通することにより、前記流入路からの流水が前記可動ディスクの第１及び第２の通水孔から前記固定ディスクの第２及び第５の通水孔を介して、当該固定ディスクの第２及び第５の通水孔に連通する前記第２及び第５の通水路内に流入し、当該第２及び第５の通水路から前記第２の流路溝を経て対応する前記第２の水流出口に流入するようにしている。また、また、前記ハンドルにより前記可動ディスクを第３の回動角度位置に回動して当該可動ディスクの第１及び第２の通水孔を前記固定ディスクの第３及び第６の通水孔と連通することにより、前記流入路からの流水が前記可動ディスクの第１及び第２の通水孔から前記固定ディスクの第３及び第６の通水孔を介して、当該固定ディスクの第３及び第６の通水孔に連通する前記第３及び第６の通水路内に流入し、当該第３及び第６の通水路から対応する前記第３の水流出口に流入した後、前記第３の水流出口から前記外部給水装置を経て前記第２の水流入口に還流し、前記第２の水流入口と対応する前記第１の流路溝を経て前記第１の水流出口から流出するようにしている。
【００１４】
請求項７に係る切替弁カートリッジは、請求項１乃至６のいずれかの構成において、前記カートリッジ本体が、その軸方向の一端側（上流側）の略半部を構成する流入側本体と、その軸方向の他端側（下流側）の略半部を構成する流出側本体とからなる。また、前記流入側本体及び流出側本体は、それらの対向端に、凹部状の係合部及び凸部状の係止部をそれぞれ形成すると共に、前記係止部は前記係合部の凹部形状に応じて当該係合部内に弾性的に嵌合して着脱自在に係止される凸部状をなし、前記流入側本体と流出側本体とは前記係合部への前記係止部の係止によって互いに連結自在であり、その連結状態で前記弁室を内部に形成している。また、前記ハンドルには、更に、前記流入側本体の内部を軸方向に延びる栓棒が一体的に回動するよう固定されると共に、前記栓棒の先端には、略円盤状の操作盤が一体的に回動するよう固定されている。また、前記操作盤は、前記可動ディスクに対して軸方向に着脱自在に嵌合されて、前記可動ディスクの前記固定ディスクとの摺接面と反対側の面である非摺接面側で当該可動ディスクを周方向に係止して固定する可動ディスク用の係止部を有している。また、前記流出側本体は、前記固定ディスクを軸方向に着脱自在に嵌合して、前記固定ディスクの通水孔を対応する前記通水路に対向配置した状態で、当該固定ディスクをその一端に係止して（好ましくは、シール部材としての止水パッキンを介して水密に）周方向に固定する（軸方向には着脱自在とする）固定ディスク用の係止部を有している。そして、前記可動ディスクを前記操作盤に前記可動ディスク用の係止部を介して固定すると共に、前記固定ディスクを前記流入側本体の一端に前記固定ディスク用の係止部を介して係止した状態で、前記流入側本体と流出側本体とを互いに連結することにより、全体が一体化されてカートリッジ化され、前記可動ディスク及び前記固定ディスクからなる前記弁機構が前記流入側本体内の前記弁室に収容されるようにしている。これにより、可動セラミック及び固定セラミックが分解可能となり、カートリッジ本体に対して分解及び再組付可能となる。
【００１５】
請求項８に係る切替弁カートリッジは、請求項４または６の構成において、前記カートリッジ本体が、その軸方向の一端側の略半部を構成する流入側本体と、その軸方向の他端側の略半部を構成する流出側本体とからなり。また、前記流入側本体及び流出側本体は、それらの対向端に、凹部状の係合部及び凸部状の係止部をそれぞれ形成すると共に、前記係止部は前記係合部の凹部形状に応じて当該係合部内に弾性的に嵌合して着脱自在に係止される凸部状をなし、前記流入側本体と流出側本体とは前記係合部への前記係止部の係止によって互いに連結自在であり、その連結状態で前記弁室を内部に形成している。また、前記ハンドルには、更に、前記流入側本体の内部を軸方向に延びる栓棒が一体的に回動するよう固定されると共に、前記栓棒の先端には、略円盤状の操作盤が一体的に回動するよう固定されている。また、前記操作盤は、前記可動ディスクに対して軸方向に着脱自在に嵌合されて、前記可動ディスクの前記固定ディスクとの摺接面と反対側の面である非摺接面側で当該可動ディスクを周方向に係止して固定する可動ディスク用の係止部を有している。また、前記流出側本体は、前記固定ディスクを軸方向に着脱自在に嵌合して、前記固定ディスクの通水孔を対応する前記通水路に対向配置した状態で、当該固定ディスクをその一端に係止して周方向に固定する固定ディスク用の係止部を有している。そして、前記可動ディスクを前記操作盤に前記可動ディスク用の係止部を介して固定すると共に、前記固定ディスクを前記流入側本体の一端に前記固定ディスク用の係止部を介して係止した状態で、前記流入側本体と流出側本体とを互いに連結することにより、全体が一体化されてカートリッジ化され、前記可動ディスク及び前記固定ディスクからなる前記弁機構が前記流入側本体内の前記弁室に収容されるようにしている。また、前記ハンドルには、更に、一体的に回動する（例えば歯車状の）環状部材が前記栓棒の基端側に同軸上となるよう固定されると共に、前記環状部材は、その外周面に、前記固定ディスクの通水孔の配置角度間隔と同一の一定角度間隔で前記通水孔の数と同一数の係合凹部を形成し、当該係合凹部をそれぞれ前記通水孔と同一角度位置に配置するよう前記ハンドルに固定されている。また、前記流入側本体は、前記環状部材の各係合凹部と弾性的に係合する球状部材を前記環状部材と当接状態で内装している。そして、前記ハンドルを正逆方向に回動することにより、前記固定ディスクの配置角度間隔ごとに前記球状部材が前記環状部材の各係合凹部と弾性的に当接して、前記可動ディスクを前記固定ディスクの配置角度間隔ごとにクリック感を付与しつつ位置決めするようにしている。
【００１６】
請求項９に係る切替弁装置は、請求項１乃至８のいずれか１項記載の切替弁カートリッジを前記切替弁装置本体に内装してなる切替弁装置である。前記切替弁装置本体は、前記水流入口と、前記第１の水流出口と、前記第２の水流出口と、前記装着口とを一体的に設けた本体基部と、前記本体基部と別体で形成され、前記第３の水流出口と前記第２の水流入口とを一体的に設けた外部用連結部材（浄水用連結部材等）とを有している。また、前記切替弁カートリッジは、その基端部の外周に雄螺子を形成している。また、前記基部本体は、前記切替弁カートリッジの雄螺子と螺合する雌螺子を前記装着口の内周面に形成して、前記切替弁カートリッジを螺入または螺退することにより前記装着口に対して装着及び取り外し自在としている。また、前記本体基部は、前記外部用連結部材の第３の水流出口と前記第２の水流入口に対向する位置に当該第３の水流出口及び前記第２の水流入口に対向する外部用開口を有している。そして、前記外部用連結部材は、前記基部本体の外部用開口に前記第３の水流出口及び第２の水流入口を対向配置した状態で、前記基部本体に螺着されて着脱自在に固定される。
【発明の効果】
【００１７】
本発明の切替弁カートリッジ及び切替弁装置によれば、ディスク弁やその関連部品を含む弁機構を一体的に組付けてカートリッジ化することにより、原水・浄水切替弁装置を含む各種の切替弁装置の本体ケース内に着脱自在に組付けて、ディスク弁等の弁機構を単体で簡単に交換することができる。
【発明を実施するための最良の形態】
【００１８】
以下、本発明を実施するための最良の形態（以下、実施の形態という）を説明する。なお、各実施の形態を通じ、同一の部材、要素または部分には同一の符号を付して、その重複する説明は省略する。
【００１９】
以下、本発明の一実施の形態に係る切替弁装置について説明する。図１〜図７に示すように、本実施の形態の切替弁装置は、三方弁としての切替コックに具体化され、切替弁装置本体としてのコック本体１０を備える。コック本体１０は、例えばＡＢＳ樹脂等の合成樹脂から左右方向に延びるケース状となるよう形成された本体基部１１を有している。図７に示すように、本体基部１１の上側面の略中央には、吐水パイプ（図示略）先端の吐水口を取付けるための短円筒状の流入部１２が一体形成されている。流入部１２の内部底面はフランジ状に内方に張り出し形成され、その内周縁により原水流入孔１２ａが形成されて、基部本体１１の内部空間と連通している。なお、流入部１２の内周面には雌螺子１２ｘが形成されている。一方、本体基部１１の下側面（底面）の略中央には、前記流入部１２と同軸上となる短円筒状の流出部１３が一体形成されている。図１４に示すように、流出部１３の内部は、小径の短円筒状の隔壁１３ｃにより、中心部に形成される円柱状の第１の吐水空間１３ａと、第１の吐水空間１３ａの外周側に形成されるリング状の第２の吐水空間１３ｂとに区画されている。なお、流出部１３の外周面には雄螺子１３ｘが形成されている。一方、図７に示すように、本体基部１１の後側面（背面）には、左右に延びる長円形状または小判形状の取付部１４が設けられている。取付部１４の長さ方向の一方側（基部本体１１の軸方向他端側）には、円形の浄水器用給水孔１４ａが形成されると共に、取付部１４の長さ方向の他方側（基部本体１１の軸方向一端側）には、円形の浄水流入孔１４ｂが形成されて、それぞれ、基部本体１１の内部空間と連通している。また、取付部１４の長さ方向両端部及び中央部（浄水器用給水孔１４ａと浄水流入孔１４ｂとの間）には、それぞれ、ねじ孔１４ｘが形成されている。一方、本体基部１１の右側面（基部本体１１の軸方向一端側の側面）には、短円筒状の装着部１５が一体形成されている。装着部１５の内周面により装着口１５ａが形成されて、基部本体１１の内部空間と連通している。装着部１５の内周面には雌螺子１５ｘが形成されている。
【００２０】
前記流入部１２の内部底面上には、ストレーナ２１及びパッキン２２が順に載置して収容されている。また、流入部１２の雌螺子１２ｘには、取付ナット２３の内周側に形成した雄螺子（図示略）を螺合することにより、取付ナット２３を介して流入部１２に吐水パイプの吐水口を着脱自在に取付けるようになっている。なお、パッキン２２の中心には通水孔２２ａが形成されると共に、取付ナット２３の内周面により第１の水流入口としての原水流入口２３ａが形成され、図５にも示すように、取付ナット２３の原水流入口２３ａ、パッキン２２の通水孔２２ａ、ストレーナ２１及び原水流入孔１２ａを介して、吐水パイプからの原水が本体基部１１内に流入するようになっている。一方、前記流出部１３の内部の隔壁１３ｃ上には、Ｏリング２５及び泡沫内芯２６が順に載置して収容されると共に、流出部１３の雄螺子１３ｘには、吐水口２４が雌螺子２４ｘを螺合して着脱自在に取り付けられるようになっている。図６にも示すように、吐水口２４は、大径リング状の外周壁２４ａの下端と小径リング状の内周壁２４ｂの下端とを円盤リング状の底壁２４ｃにより連結したものである。底壁２４ｃには全体にわたって均一な密度で多数の小孔２４ｄが貫通形成されている。なお、内周壁２４ｂの内部空間によりストレート吐水空間が形成されると共に、内周壁２４ｂの下端の円形開口により第１の水流出口としてのストレート吐水口が形成されるが、このとき、内周壁２４ｂ内には泡沫内芯２６が装着されており、ストレート吐水口（内周壁）２４ｂからの吐水は泡沫内芯２６による泡沫吐水となる。また、外周壁２４ａと内周壁２４ｂとの間の内部空間により、シャワー吐水空間が形成されると共に、底壁２４ｃにより第２の水流出口としてのシャワー吐水口が形成されている。
【００２１】
一方、前記取付部１４には、外部用連結部材としての浄水用連結部材３０が着脱自在に取り付けられる。浄水用連結部材３０は、図８にも示すように、前記取付部１４と同一外形の長円形状乃至小判形状をなす支持部３１を有している。支持部３１の左右両端部及び中央部には、前記取付部１４のねじ孔１４ｘと整合する位置に、それぞれ、対応する小径の挿通孔３１ｘが形成されている。また、支持部３１の外側面の左右両側において前記取付部１４の浄水器用給水孔１４ａと浄水流入孔１４ｂと対応する位置には、それぞれ、プラグ筒状の浄水器用給水部３２及び浄水流入部３３が、浄水器用給水孔１４ａと浄水流入孔１４ｂと同軸となるよう外方に突出して一体形成されている。なお、浄水器用給水部３２及び浄水流入部３３の基端側の外周面には、それぞれ、雄螺子３２ｘ及び雄螺子３３ｘが形成されている。更に、支持部３１の内側面の左右両側において取付部１４の浄水器用給水孔１４ａと浄水流入孔１４ｂと対応する位置には、それぞれ、短円筒状の給水孔挿着部３４及び流入孔挿着部３５が浄水器用給水孔１４ａと浄水流入孔１４ｂと同軸となるよう内方に突出して一体形成されている。そして、給水孔挿着部３４及び流入孔挿着部３５を、それぞれ、取付部１４の浄水器用給水孔１４ａ及び浄水流入孔１４ｂに嵌合することにより、浄水用連結部材３０を取付部１４に位置決めして装着し、ねじ３８を浄水用連結部材３０の挿通孔３１ｘから取付部１４のねじ孔１４ｘに螺入することにより、浄水用連結部材３０を取付部１４に着脱自在に取り付けるようになっている。更にまた、浄水器用給水部３２及び浄水流入部３３の雄螺子３２ｘ及び雄螺子３３ｘに、それぞれ、取付ナット３６及び取付ナット３７の内周側に形成した雌螺子を螺合することにより、取付ナット３６及び取付ナット３７を介して浄水器用給水部３２及び浄水流入部３３に浄水器用給水ホース及び浄水用ホース（共に図示略）を接続するようになっている。これにより、取付ナット３６の円形開口及び取付ナット３７の円形開口により、それぞれ、第３の水流出口としての浄水器用給水口３６ａ及び第２の水流入口としての浄水流入口３７ａが形成され、当該浄水器用給水口３６ａ及び浄水流入口３７ａが、浄水器用給水部３２及び浄水流入部３３の円形開口を介して、本体基部１１の内部空間と連通する。
【００２２】
一方、本体基部１１の装着部１５には、本実施の形態の切替弁カートリッジ１００が、装着口１５ａから本体基部１１の軸方向に挿入して内装され、装着口１５ａに水密に着脱自在とされる。即ち、切替弁カートリッジ１００は、装着口１５ａから本体基部１１の軸方向に挿入して内装自在な外形を有すると共に、全体として、略円筒状をなす。また、カートリッジ本体１００は、流入側本体１１０と流出側本体としての切替部材１５０とからなる。詳細には、流入側本体１１０は、図９に示すように、基部１１１に略円筒状部１１３〜１１８を同軸状に一体形成した形状をなしている。即ち、基部１１１は、長円形状乃至小判形状のブロック状部分の厚さ方向一側面側（内側面側）を、当該ブロック状部分の長径と同一径で幅方向両側に薄い円盤状となるよう張り出した全体形状を有している。また、基部１１１のブロック状部分の幅方向両側面１１１ａは、互いに平行な所定幅の平坦面からなり、スパナ状の工具により両側面１１１ａを挟持して流入側本体１１１を回転自在となっている。また、基部１１１のブロック状部分の長さ方向両側の円弧面の中央には、それぞれ、その長径方向（略円筒状部１１３〜１１８の半径方向）に延びる円形の位置決め孔１１１ｂが貫通形成されている。位置決め孔１１１ｂの奥側（基部１１１の中心側）の略半部は挿通孔とされ、手前側（基部１１１の外周面側）の略半部はねじ孔とされている。更に、基部１１１の中央には、流入側本体１１０の軸方向に延びる円形の軸孔１１１ｃが貫通形成されている。なお、一対の位置決め孔１１１ｂは、図１４に示すように、前記軸孔１１１ｃの周面で開口している。前記略円筒状部は、基部１１１の円盤状部分より若干小径の短円筒状部１１２、基部１１１の円盤状部分と同一径のリング状のフランジ部１１３、前記フランジ部１１３より若干小径（短円筒状部１１２より大径）の雄螺子部１１４、雄螺子部１１４より小径の円筒状部１１５、円筒状部１１５より若干大径（雄螺子部１１４より小径）のリング状のフランジ部１１６、フランジ部１１６より若干小径の短円筒状部１１８、前記フランジ部１１６と同一径のリング状のフランジ部１１７を軸方向に（同軸状となるよう）順に配置して一体成形してなるものである。
【００２３】
より詳細には、基部１１１の円盤状部分とフランジ部１１３との間の短円筒状部１１２は大径のＯリングＯ（図１３及び図１４参照）を装着するためのリング溝を形成し、フランジ部１１６とフランジ部１１７との間の短円筒状部１１８は若干小径のＯリングＯ（図１３及び図１４参照）を装着するためのリング溝を形成している。また、雄螺子部１１４において基部１１１のブロック状部分の円弧面と対応する角度位置（角度範囲）、即ち、雄螺子部１１４の上部及び下部には、それぞれ、周方向に所定角度範囲（例えば、２０〜３０度）で延びるスリット溝状の水流入開口１１４ａが貫通形成され、流入側本体１１０の内外の空間を互いに連通している。また、円筒状部１１５において前記一対の水流入用開口１１４ａから９０度の角度位置、即ち、円筒状部１１５の左右には、それぞれ、周方向に所定角度範囲（例えば、約６０度）で延びる円弧スリット状の係合孔１１５ａが貫通形成されている。係合孔１１５ａは、流入側本体１１０のフランジ部１１７の端縁から軸方向に所定距離を置いた位置に配置されている。更に、流入側本体１１０の先端開口であるフランジ部１１７の円形開口１１７ａの内周面において前記一対の係合孔１１５ａと同一角度位置、即ち、その左右には、それぞれ、周方向に所定角度範囲（例えば、約６０度、好ましくは、前記係合孔１１５ａと同一の角度範囲）で延びる円弧溝状の係合凹部１１７ｂが形成されている。また、前記基部１１１の各位置決め孔１１１ｂには、位置決め孔１１１ｂより若干小径の球状体１１９ａ及びコイルばね１１９ｂが順に挿入して収容されて前記奥側の挿通孔部分に配置される。更に、各位置決め孔１１１ｂのねじ孔部分には、対応する止ねじ１１９ｃが螺入され、コイルばね１１９ｂを介して球状体１１１ａを弾性的に付勢するようになっている。
【００２４】
流入側本体１１０の内部には、弁操作部材１２０が収容配置される。弁操作部材１２０は、歯車状の環状部材１２１の一端に栓棒１２２を同軸状に一体形成すると共に、環状部材１２１の他端に円盤状の操作盤１２３を同軸となるよう一体的に固着したものである。詳細には、環状部材１２１の外周面には、軸方向に沿って延びる凹溝状の位置決め溝１２１ａが、合計６個、周方向に等間隔（６０度間隔）をおいて形成されている。環状部材１２１は栓棒１２２より若干大径となっている。また、栓棒１２２は、その先端側にスプライン溝を形成する共に、先端には軸方向に延びるねじ孔を形成している。更に、操作盤１２３は、ＥＰＤＭ等の合成ゴム製のすべりパッキンからなり、流入側本体１１０の内周面の直径と同一直径を有している。更に、操作盤１２３の一側面（環状部材１２１と反対側の側面）には、その周方向に１８０度の間隔を置いた部位に、それぞれ、浅い半円状乃至扇状の凹部状をなす通水凹部１２３ａ及び１２３ｂが対をなすよう形成されている。更にまた、操作盤１２３の一側面において前記一対の通水凹部１２３ａ及び１２３ｂ間の部位の外周部には、その周方向に１８０度の間隔を置いた位置に、それぞれ、方形ブロック状の係止凸部１２４が対をなすよう一体形成され、弁操作部材１２０の軸方向に沿って突出している。一対の係止凸部１２４は、前記一対の通水凹部１２３ａ、１２３ｂに対して操作盤１２３の周方向に９０度の間隔をおいた位置に配置される。操作盤１２３の一対の係止凸部１２４には、セラミックディスクからなる可動ディスク１３１が軸方向への着脱自在に装着され、操作盤１２３と一体的に回動するようになっている。詳細には、可動ディスク１３１は、操作盤１２３と同一直径を有する円盤状をなす。また、可動ディスク１３１の一側面（操作盤１２３と対向する面）には、操作盤１２３の係止凸部１２４をそれぞれ嵌合保持（好ましくは密嵌保持）自在なよう、係止凸部１２４の外形に対応する方形凹部状をなす一対の係合凹部１３１ａが、その周方向に１８０度の間隔をおいて形成されている。更に、可動ディスク１３１には、前記係合凹部１３１ａに対して周方向に９０度の間隔を置いた位置に、一対の通水孔１３２ａ及び通水孔１３２ｂが軸方向に貫通して形成されている。通水孔１３２ａ及び１３２ｂは、それぞれ、可動ディスク１３１を周方向に６分割して得られる（中心角６０度の）扇形状に対応する（若干小さい半径の）扇形状の断面を有する貫通孔であり、１８０度の間隔を置いて（可動ディスク１３１の中心に対して）点対称となるよう配置されている。
【００２５】
弁操作部材１２０は、図１３及び図１４に示すように、環状部材１２１と操作盤１２３との間の軸基端部分の外周にＯリングを装着（図示の例では２段のＯリングを並設）し、栓棒１２２側を流入側本体１１０の円形開口１１７ａから内部に挿入して、栓棒１２２及び環状部材１２１を順に基部１１１の軸孔１１１ｃに挿通して、栓棒１２２の先端側を外部に（軸方向に）突出させると共に、操作盤１２３の他側面を基部１１１の軸方向内端面に当接させることにより、流入側本体１１０の定位置に装着して配置される。このとき、環状部材１２１と操作盤１２３との間の軸基端部分の外周にＯリングが、基部１１１の軸孔１１１ｃでの水密を維持する。また、このとき、環状部材１２１が基部１１１の一対の位置決め孔１１１ｂと対向する位置に配置される。そして、この状態で、基部１１１の各位置決め孔１１１ｂに、前記球状体１１９ａ及びコイルばね１１９ｂを順に挿入して収容し、最後に、止ねじ１１９ｃを位置決め孔１１１ｂに螺入してコイルばね１１９ｂを介して球状体１１９ａを弾性的に付勢することにより、球状体１１９ａが基部１１１の軸孔１１１ｃ内の環状部材１２１の外周面に弾性的に押圧されて当接し、環状部材１２１の位置決め溝１２１ａと対向したときに当該位置決め溝１２１ａ内に弾性的に押圧されてクリック間を付与しつつ位置決め動作を行うようになっている。また、このとき、操作盤１２３の外周面が、流入側本体１１０のフランジ部１１３の内面側にある段差部（軸孔１１１ｃから連続する段差部）の内周面に密接すると共に、他側面が基部１１１の軸方向内端面に密接して、それらの間での水密を維持した状態で、操作盤１２３が正逆方向に回動自在となる。更に、このとき、操作盤１２３の通水凹部１２３ａ，１２３ｂは、常に、少なくともその一部が流入側本体１１０の水流入開口１１４ａと対向して連通している。そして、この状態で、操作盤１２３の係止凸部１２４に可動ディスク１３１の係合凹部１３１ａ，１３１ｂを嵌合して可動ディスク１３１を操作盤１２３に対して軸方向に装着すると、可動ディスク１３１が弁操作部材１２０と同軸上に配置され、かつ、操作盤１２３の通水凹部１２３ａ，１２３ｂと可動ディスク１３１の一側面との間に、前記流入側本体１１０の水流入開口１１４ａと連通する一対の通水空間が形成される。このとき、可動ディスク１３１の一対の通水孔１３１ａ，１３１ｂは、それぞれ、これら一対の通水空間にそれぞれ連通している。
【００２６】
可動ディスク１３１の他側面側には、セラミックディスクからなる固定ディスク１３３が密接して同軸状に配置される。固定ディスク１３３は、可動ディスク１３１と同一直径の円盤状をなす。固定ディスク１３３には、周方向に等角度間隔を置いて、合計６個の通水孔１３４ａ，１３５ａ，１３６ａ，１３４ｂ，１３５ｂ，１３６ｂが、それぞれ、軸方向に貫通して形成されている。通水孔１３４ａ，１３５ａ，１３６ａ，１３４ｂ，１３５ｂ，１３６ｂは、それぞれ、周方向に６分割して得られる（中心角６０度の）扇形状に対応する（若干小さい半径の）扇形状の断面を有する貫通孔である。詳細には、図９に示すように、固定ディスク１３３は、前記通水孔を、第１の原水ストレート通水孔１３４ａと第２の原水ストレート通水孔１３４ｂの対、第１の浄水通水孔１３５ａと第２の浄水通水孔１３５ｂの対、及び第１の原水シャワー通水孔１３６ａと第２の原水シャワー通水孔１３６ｂの対の、合計３対の通水孔として備えている。また、第１の原水ストレート通水孔１３４ａと第２の原水ストレート通水孔１３４ｂ、第１の浄水通水孔１３５ａと第２の浄水通水孔１３５ｂ、及び、第１の原水シャワー通水孔１３６ａと第２の原水シャワー通水孔１３６ｂは、それぞれ、１８０度の間隔を置いて（固定ディスク１３３の中心に対して）点対称となるよう配置されている。固定ディスク１３３の各対の通水孔１３４ａ、１３４ｂ，１３５ａ，１３５ｂ，１３６ａ．１３６ｂは、可動ディスク１３１の一対の通水孔１３１ａ，１３１ｂと同一の扇状の外形を有し、可動ディスク１３１を固定ディスク１３３に対して相対回動することにより、可動ディスク１３１の一対の通水孔１３１ａ，１３１ｂが、固定ディスク１３３の各対の通水孔１３４ａ、１３４ｂ，１３５ａ，１３５ｂ，１３６ａ．１３６ｂと順に完全に整合して連通するようになっている。固定ディスク１３３の一側面（可動ディスク１３１と反対側の面）の外周面には、浅い円弧凹部状をなす一対の係合凹部１３３ａが、その周方向に１８０度の間隔をおいて形成されている。両係合凹部１３３ａは、それぞれ、前記第１の原水ストレート通水孔１３４ａと第２の原水ストレート通水孔１３４ｂに対応する角度位置で対応する円弧の角度範囲（例えば、通水孔の６０度と同一の６０度の角度範囲で、前記流入側本体１１０の係合凹部１１７ｂと同一の角度範囲）に形成されている。また、係合凹部１３３ａは、固定ディスク１３３の厚さ方向の一側面から他側面の若干手前の位置まで延設されている。
【００２７】
固定ディスク１３３の一側面側には、止水パッキン１４１が密接して同軸状に配置される。止水パッキン１４１は、固定ディスク１３３と同一直径の円盤状をなす。止水パッキン１４１には、固定ディスク１３４の合計６個の通水孔１３４ａ，１３５ａ，１３６ａ，１３４ｂ，１３５ｂ，１３６ｂと完全に整合する角度位置及び角度範囲に、それぞれ、同一の（中心角６０度の）扇状の外形を有する通水孔１４２ａ、１４３ａ，１４４ａ，１４２ｂ，１４３ｂ，１４４ｂが、軸方向に貫通して形成されている。また、止水パッキン１４１の外周面には、前記固定ディスク１３３の係合凹部１３３ａと同一形状の浅い円弧凹部状をなす一対の係合凹部１４１ａが、その周方向に１８０度の間隔をおいて形成されている。両係合凹部１４１ａは、それぞれ、固定ディスク１３３の係合凹部１３３ａと同一の角度位置及び角度範囲に形成され、前記通水孔１４２ａ及び通水孔１４２ｂに対応して配置されている。また、係合凹部１４１ａは、止水パッキン１４１の厚さ方向全体に延設されている。なお、少なくとも可動ディスク１３１と固定ディスク１３３の摺接面（好ましくは全面）には、それぞれ、ＤＬＣ（Ｄｉａｍｏｎｄ  Ｌｉｋｅ  Ｃａｒｂｏｎ）コーティングが施され、摺動摩擦抵抗（ハンドルトルク）を大幅に低減してグリースの塗布を不要とすると共に、耐久性を大幅に向上している。
【００２８】
ここで、前記可動ディスク１３１は、図１２の別例に示すような構成とすることもできる。図１２に示すように、別例に係る可動ディスク１３１は、固定ディスクとの対向面（摺接面）において、一対の通水孔１３２ａ，１３２ｂの間に、それぞれ、同一の扇形状の断面形状を有する凹部１３２ｃを６０度間隔で２個ずつ形成している。これにより、可動ディスク１３１の２個の通水孔１３２ａ，１３２ｂ及び４個の凹部１３２ｃが、固定ディスク１３４の合計６個の通水孔１３４ａ，１３５ａ，１３６ａ，１３４ｂ，１３５ｂ，１３６ｂと完全に整合する角度位置及び角度範囲に、それぞれ、同一の（中心角６０度の）扇状の外形を有して配置される。したがって、可動ディスク１３１を回動する際の固定ディスク１３３との摺接面積が凹部１３１ｃにより小さくなり、その分、摺動抵抗が低減して、可動ディスク１３１の回転がいっそう円滑になり、また、可動ディスク１３１と固定ディスク１３３の摺接面の磨耗が低減されて、より長寿命となる。
【００２９】
一方、流出側本体としての切替部材１５０は、流入側本体１１０に対して同軸上に装着される。詳細には、切替部材１５０は、図１０に示すように、前記流入側本体１１０の円形開口１１７ａの内径と同一の外径を有するリング状のフランジ部１５１、フランジ部１５１より若干小径の短円筒状部１５３、フランジ部１５１と同一径のリング状をなすフランジ部１５４、短円筒状部１５３と同一径の短円筒状部１５５、フランジ部１５４より若干大径で流入側本体１１０のフランジ部１１７より若干小径のリング状をなすフランジ部１５６、フランジ部１５６より若干小径で短円筒状部１５５より若干大径の短円筒状部１５７、フランジ部１５６と同一径のリング状をなすフランジ部１５８、短円筒状部１５５と同一径の短円筒状部１５９、及びフランジ部１５８と同一径のリング部１６０を軸方向に（同軸状となるよう）順に配置して一体成形してなるものである。より詳細には、フランジ部１５１の外周面には、切替部材１５０の軸方向に沿って前記短円筒状部１５３と反対側に突出する一対の係止突起１５２が、その周方向に１８０度の間隔をおいて形成されている。係止突起１５２は、止水パッキン１４１の係合凹部１４１ａ及び固定ディスク１３３の係合凹部１３３ａの長さ（円弧方向乃至周方向の長さ）と同一の周方向寸法（幅）を有する略矩形平板状をなし、その先端部には外側（フランジ部１５１の放射方向外方）に突出する爪部（断面三角形状部分）を一体形成したものである。なお、係止突起１５２は、フランジ部１５１の曲率に対応して幅方向に若干湾曲する円弧状となる。更に、切替部材１５０のフランジ部１５４には、その周方向に１８０度の角度を置いた位置に、それぞれ、その外周面から外側（フランジ部１５３の半径方向外方）に突出する小平板状乃至小片状の規制片１５４ａが一体形成されている。ここで、係止突起１５２のフランジ部１５１からの突出長さ（切替部材１５０の軸方向における突出寸法）は、止水パッキン１４１の厚み（係合凹部１４１ａの厚み）と固定ディスク１３３の係合凹部１３３ａの厚みを合計した長さに設定される。また、係止突起１５２の突出長さは、前記本体側流入部１１０の基端面（フランジ部１１７の端面）から係合孔１１５ａまでの長さと同一に設定されている。そして、切替部材１５０の先端部を本体側流入部１１０内に挿入したときに、前記一対の規制片１５４ａの一側面（フランジ部１５１側の側面）が流入側本体１１０の基端面（フランジ部１１７の端面）に当接して、それ以上の挿入を規制するようになっている。また、このとき、係止突起１５２の先端部の爪部が本体側流入部１１０の係合孔１１５ａ内に装着されるようになっている。更に、両係止突起１５２は、それぞれ、前記止水パッキン１４１の一対の係合凹部１４１ａ及び固定ディスク１３３の一対の係合凹部１３３ａと同一の角度位置及び角度範囲に形成され、前記流入側本体１１０の一対の係合凹部１１７ｂとも同一の角度位置及び角度範囲に形成されている。なお、前記流入側本体１１０の一対の係止孔１１５ａも、前記一対の係止突起１５２、止水パッキン１４１の一対の係合凹部１４１ａ、固定ディスク１３３の一対の係合凹部１３３ａ及び流入側本体１１０の一対の係合凹部１１７ｂと同一の角度位置及び角度範囲に形成することが好ましく、こうすれば、係止突起１５２の幅を基端から先端まで同一幅として成形することができ、成形が容易になる。
【００３０】
切替部材１５０のフランジ部１５１とフランジ部１５３と短円筒状部１５２の外周面との間のリング状の空間は、ＯリングＯ（図１６〜図１８参照）を装着するためのリング溝を形成し、フランジ部１５５とフランジ部１５７と短円筒状部１５６の外周面との間のリング状の空間は、若干大径のＯリングＯ（図１６〜図１８参照）を装着するためのリング溝を形成している。また、フランジ部１５４とフランジ部１５６と短円筒状部１５５の外周面との間のリング状の空間はリング溝状の第１の流路溝を形成し、フランジ部１５８とフランジ部１６０と短円筒状部１５９の外周面との間のリング状の空間はリング溝状の第２の流路溝を形成している。更に、切替部材１５０の基端面には、リング部１６０より小径のリング状をなすリング部１６１が、リング部１６０と同軸上となるよう軸方向に突出形成されている。これにより、切替部材１５０の基端面においてリング部１６０とリング部１６１との間にはリング状端面１６２が形成され、リング部１６１の内側には円形状端面１６３が形成されている。なお、リング部１６０とリング部１６１とリング状端面１６２との間のリング状の空間は、ＯリングＯ（図１６〜図１８参照）を装着するためのリング溝を形成している。
【００３１】
切替部材１５０の内部には、前記固定ディスク１３３の６個の通水孔１３４ａ、１３４ｂ、１３５ａ，１３５ｂ，１３６ａ，１３６ｂに対応して、６個の通水路１７１，１７１ｂ，１７２ａ，１７２ｂ，１７３ａ，１７３ｂが、互いに干渉乃至重合しない位置で、軸方向に沿って延びるよう形成され、各通水路１７１，１７１ｂ，１７２ａ，１７２ｂ，１７３ａ，１７３ｂは、切替部材１５０の外周面または基端面で６個の開口１５６ａ，１５６ｂ，１５８ａ，１５８ｂ，１６３ａ，１６３ｂとして開口している。詳細には、図１５の破線で示すように、切替部材１５０の先端面には、固定ディスク１３３の６個の通水孔１３４ａ，１３５ａ，１３６ａ，１３４ｂ，１３５ｂ，１３６ｂ（及び止水パッキン１４１の６個の通水孔１４２ａ、１４３ａ，１４４ａ，１４２ｂ，１４３ｂ，１４４ｂ）と完全に整合する角度位置及び角度範囲に、それぞれ、同一の（中心角６０度の）扇状の外形を有する６個の通水路１７１，１７１ｂ，１７２ａ，１７２ｂ，１７３ａ，１７３ｂの開口が形成されている。切替部材１５０は、前記通水路を、第１の原水ストレート用通水路１７１ａと第２の原水ストレート用通水路１７１ｂの対、第１の浄水用通水路１７２ａと第２の浄水用通水路１７２ｂの対、及び第１の原水シャワー用通水路１７３ａと第２の原水シャワー用通水路１７３ｂの対の、合計３対の通水路として備えている。切替部材１５０の先端面において、第１の原水ストレート用通水路１７１ａと第２の原水ストレート用通水路１７１ｂの対の開口は、固定ディスク１３３の第１の原水ストレート通水孔１３４ａと第２の原水ストレート通水孔１３４ｂの対とそれぞれ対向し、第１の浄水用通水路１７２ａと第２の浄水用通水路１７２ｂの対の開口は、固定ディスク１３３の第１の浄水通水孔１３５ａと第２の浄水通水孔１３５ｂの対とそれぞれ対向し、第１の原水シャワー用通水路１７３ａと第２の原水シャワー用通水路１７３ｂの対の開口は、固定ディスク１３３の第１の原水シャワー通水孔１３６ａと第２の原水シャワー通水孔１３６ｂの対とそれぞれ対向する。そして、第１の原水ストレート用通水路１７１ａと第２の原水ストレート用通水路１７１ｂの対、第１の浄水用通水路１７２ａと第２の浄水用通水路１７２ｂの対、及び第１の原水シャワー用通水路１７３ａと第２の原水シャワー用通水路１７３ｂの対は、それぞれ、１８０度の間隔を置いて（切替部材１５０の中心に対して）点対称となるよう配置されている。
【００３２】
一方、第１の原水ストレート用通水路１７１ａ及び第２の原水ストレート用通水路１７１ｂは、図１７に示すように、切替部材１５０の内部を軸方向に沿ってフランジ部１５７まで（短円筒状部１５６の奥側の端縁まで）延設され、短円筒状部１５６の外周面に向かって半径方向に延びて当該短円筒状部１５６の外周面の対応する位置でスリット状乃至矩形状をなす第１の原水ストレート用開口１５６ａ及び第２の原水ストレート用開口１５６ｂとして開口している。また、第１の原水シャワー用通水路１７３ａ及び第２の原水シャワー用通水路１７３ｂは、図１８に示すように、切替部材１５０の内部を軸方向に沿ってフランジ部１５９まで（短円筒状部１５８の奥側の端縁まで）延設され、短円筒状部１５８の外周面に向かって半径方向に延びて当該短円筒状部１５８の外周面の対応する位置でスリット状乃至矩形状をなす第１の原水シャワー用開口１５８ａ及び第２の原水シャワー用開口１５８ｂとして開口している。更に、第１の浄水用通水路１７２ａ及び第２の浄水用通水路１７２ｂは、図１６に示すように、切替部材１５０の内部を軸方向に沿ってリング部１６０乃至リング部１６１まで延設され、リング部１６１内の前記円形状端面１６３の対応する位置で、第１の浄水用通水路１７２ａ及び第２の浄水用通水路１７２ｂの断面形状である扇形状をなす第１の浄水用開口１６３ａ及び第２の浄水用開口１６３ｂとして開口している。
【００３３】
そして、本実施の形態の切替弁カートリッジは、弁操作部材１２０の操作盤１２３の係止凸部１２４に固定ディスク１３１の係合凹部１３１ａを嵌合して装着すると共に、流入側本体１１０内に弁操作部材１２０を挿入して栓棒１２２を基部１１１の軸１１１ｃから外部に突出させる一方、切替部材１５０の係止突起１５２に止水パッキン１４１の係合凹部１４１ａ及び固定ディスク１３４の係合凹部１３３ａを順に挿入して係止し、切替部材１５０に対して止水パッキン１４１及び固定ディスク１３３を装着した状態で、固定ディスク１３３を操作盤１２３上の可動ディスク１３１に当接させて流入側部材１１０の円形開口１１７ａから内部に挿入すると共に、係止突起１５２の先端部の爪部を流入側本体の内周面により内側に弾性変形させて係止孔１１５ａまで摺動することにより、係止突起１５２の先端部の爪部が流入側本体１１０の係止穴１１５ａ内に弾性復帰して装着される。これにより、図７、図１３及び図１４に示すように、流入側本体１１０に対して流出側本体としての切替部材１５０が同軸状となるよう一体化され、流入側本体１１０に切替部材１５０をワンタッチで装着して、カートリッジ本体１１０内に弁操作部材１２０及び弁機構（可動ディスク１３１、固定ディスク１３３、止水パッキン１４１）を収容・装着した状態で、切替弁カートリッジを簡単に組み立てることができる。このとき、流入側本体１１０内において短円筒状部１５５の内部空間に対応する空間（操作盤１２３の一側面と切替部材１５０の先端面との間の空間）が弁室を形成し、同弁室内に弁機構の可動ディスク１３１及び固定ディスク１３３が収容される。なお、同弁室内には、当接面で固定ディスク１３３と切替部材１５０との水密を維持する止水パッキン１４１も収容される。
【００３４】
ここで、このように一体化した切替弁カートリッジにおいて、流入側本体１１０の基部１１１から突出する栓棒１２２の先端側のスプライン溝部分には、図７に示すように、止めナット５４が軸方向に挿入されてスプライン嵌合される。止めナット５４の底部中心には小径の円形孔５４ａが貫通形成され、栓棒１２２に外嵌して装着したときに円形孔５４ａが栓棒１２２のねじ孔と整合するようになっている。また、このように一体化した切替弁カートリッジをコック本体１０の装着口１５ａから内部に装着した状態で、止めナット５４の外側にはハンドル５０が装着される。詳細には、切替弁カートリッジは、切替部材１５０側をコック本体１０の装着口１５ａから内部へと軸方向に挿入し、流入側本体１１０の雄螺子１１４を装着部１５の雌螺子１５ｘに螺入することにより、コック本体１０に固定される。また、ハンドル５０は、基部５１、収容部５２及び操作部５３を一体的に設けている。基部５１は、コック本体１０の装着部１５の円形開口端である装着口１５ａに対応する直径の短円筒状乃至リング板状をなし、その一端外周縁がコック本体１０の装着口１５ａに装着される。また、収容部５２は、止めナット５４を外側から覆う有底略円筒状をなし、その底部の中心部にねじ挿通孔５２ａが貫通形成されて、止めナット５４に外嵌して装着したときに、ねじ挿通孔５２ａが止めナット５４の円形孔５４ａ及び栓棒１２２のねじ孔と整合するようになっている。更に、操作部５３は、基部５１の他端外周縁の１８０度間隔を置いた位置から、収容部５２の外側を軸方向に延びて収容部の底部の中心部に向かって湾曲して延びる板状をなしている。そして、切替弁カートリッジをコック本体１０の装着口１５ａから内部に装着した状態で、ハンドル５０をコック本体１０の装着口１５に装着し、収容部５２の挿通孔５２ａにねじ５５を挿通して止めナット５４の円形孔５４ａを介して栓棒１２２のねじ孔に螺入することにより、ハンドル５０をコック本体１０の装着口１５ａに装着することができる。これにより、ハンドル５０が弁操作部材１２０に一体的に連結されて、ハンドル５０により弁操作部材１２０を正逆方向に回動自在となる。なお、ハンドル５０のねじ挿通孔５２ａにはキャップ５６が着脱自在に装着され、ねじ５５を外部から遮蔽するようになっている。また、図示は市内が、ハンドル５０の基部５１の外周面には、ハンドル５０による弁操作状態を表す記号（原水ストレート吐出を表す記号、浄水吐出を表す記号及び原水シャワー吐出を表す記号）が６０度間隔で表示されている。
【００３５】
なお、前記コック本体１０、浄水用連結部材３０、流入側本体１１０、弁操作部材１２０及び流出側本体１５０は、ＡＢＳ樹脂等の樹脂材料により成形することができ、また、各種ＯリングＯや止水パッキンパッキン１４１等のパッキンは、ＥＰＤＭ等の合成ゴムにより形成することができる。更に、球状体１９１ａ、コイルばね１９１ｂ及び止ねじ１９１ｃは、ステンレス鋼等により形成することができる。
【００３６】
上記のように切替弁カートリッジをコック本体１０に内装した状態では、図１３及び図１４に示すように、切替弁カートリッジは、短円筒状部１１２に装着したＯリングＯを介して装着口１５ａに水密に装着される。この状態で、ハンドル５０はカートリッジ本体１００に一体的に装着されているため、弁機構としての可動ディスク１３１を外部から弁操作可能である。即ち、ハンドル５０を正逆いずれかの方向に所定角度回動すると、弁操作部材１２０の操作盤１２３を介して可動ディスク１３１が対応する方向に同一角度だけ回転する。このとき、カートリッジ本体１００の弁室には可動ディスク１３１及び固定ディスク１３３が互いに対向面を密接させた状態で同軸上に装着されている。また、このとき、弁操作部材１２０の環状部材１２１には球状体１９１ａが弾性押圧状態で当接している。したがって、ハンドル５０を正逆いずれかの方向に回転すると、弁操作部材１２０が一体的に回転し、球状体１９１ａが環状部材１２１の位置決め溝１２１ａに嵌合したときに、クリック感が付与されると共にハンドル５０が所定角度位置（原水ストレート位置、浄水位置、原水シャワー位置）に位置決めされる。即ち、ハンドル５０は、６０度回転するごとに、環状部材１２１のそれぞれの位置決め溝１２１ａにより位置決めされ、これにより、１周回（３６０度）回転する間に６段階で位置決めされる。このとき、ハンドル５０のそれぞれの位置決め角度位置では、可動ディスク１３１の第１及び第２の通水孔１３２ａ，１３２ｂが、固定ディスク１３３の第１及び第２の原水ストレート通水孔１３４ａ，１３４ｂ、第１及び第２の浄水通水孔１３５ａ，１３５ｂ、及び第１及び第２の原水シャワー通水孔１３６ａ，１３６ｂとそれぞれ整合して連通する。
【００３７】
一方、図１４に示すように、切替弁カートリッジの装着状態では、短円筒状部１１２上のＯリングＯ及び短円筒状部１１８上のＯリングＯが、流入部１２の原水流入孔１２ａの両側（流出部１３の第１の吐水空間１３ａより吐出口１５ａ側の部分及び装着部１５の装着口１５ａ部分の内周面）でコック本体１０の基部１１の内周面をその全周にわたってそれぞれ水密に封止するため、それらのＯリングＯの間に、原水流入孔１２ａにのみ連通する（流出部１３の第１の吐水空間１３ａ及び第２の吐水空間１３ｂ並びに浄水器用給水孔１４ａとの連通を遮断する）リング状の通水空間が形成されている。また、この状態で、流入側本体１１０の雄螺子部１１４に形成した一対の水流入開口１１４ａのうち、一方の水流入開口１１４ａは、コック本体１０の流入部１２の原水流入孔１２ａを介して原水流入口２３ｂと対向する。更に、このとき、前記一対のＯリングＯ間の通水空間において、前記流出部１３に対向する位置には他方の水流入開口１１４ａが配置されている。よって、他方の水流入開口１１４ａも、当該通水空間から流入部１２の原水流入孔１２ａを介して原水流入口２３ｂと連通する。したがって、原水流入口２３ｂからコック本体１０に流入した原水は、当該通水空間を介して一対の水流入開口１１４ａを経て流入側本体１１０内に流入することになる。このとき、流入側本体１１０内では、操作盤１２３の一対の通水凹部１２３ａ，１２３ｂが、前記一対の水流入開口１１４ａと対向している。したがって、一対の水流入開口１１４ａから流入した原水は、一対の通水凹部１２３ａ，１２３ｂ上をそれぞれ案内されて、一対の通水凹部１２３ａ，１２３ｂと対向配置された可動ディスク１３１の一対の通水孔１３２ａ，１３２ｂへと流入する。
【００３８】
したがって、ハンドル５０により弁操作部材１２０を正逆いずれかの方向に回転して、例えば、原水ストレート位置に位置決めすると、可動ディスク１３１の一対の通水孔１３２ａ，１３２ｂが固定ディスク１３３の一対の原水ストレート通水孔１３４ａ，１３４ｂと連通し、可動ディスク１３１の一対の通水孔１３２ａ，１３２ｂからの原水が、固定ディスクの一対の原水ストレート通水孔１３４ａ，１３４ｂ及び止水パッキン１４１の一対の通水孔１４２ａ，１４２ｂをそれぞれ通過して、切替部材１５０の一対の原水ストレート用通水路１７１ａ，１７１ｂ内にそれぞれ流入する。一対の原水ストレート用通水路１７１ａ，１７１ｂ内にそれぞれ流入した原水は、図１７に示すように、第１の流路溝としての短円筒状部１５５の外周面で開口する一対の原水ストレート用開口１５５ａ，１５５ｂから、それぞれ、切替部材１５０の外部へと流出する。このとき、図１４に示すように、切替部材１５０の短円筒状部１５７上のＯリングＯ及び流入側本体１１０の短円筒状部１１８上のＯリングＯが、流出部１３の第１の吐水空間１３ａの両側でコック本体１０の基部１１の内周面をその全周にわたってそれぞれ水密に封止するため、それらのＯリングＯの間に、流出部１３の第１の吐水空間１３ａにのみ連通する（流入部１２の原水流入孔１２ａ、流出部１３の第２の吐水空間１３ｂ、及び浄水器用給水孔１４ａとの連通を遮断する）リング状の通水空間が形成されている。したがって、当該通水空間と対向する位置にある短円筒状部１５５に形成した一対の原水ストレート用開口１５５ａ，１５５ｂからの原水が、当該通水空間から第１の吐水空間１３ａを経て、吐水口２４の内周壁２４ｂ内の泡沫内芯２６へと流入して泡沫内芯２６の吐水口（ストレート吐水口）から吐出される。即ち、上側の原水ストレート用開口１５５ａからの原水は、短円筒状部１５５の外周面からなる第１の流路溝に沿って前記通水空間を周回して最終的に泡沫内芯２６の吐出口から吐出される。一方、原水ストレート用開口１５５ａと１８０度離れた位置にある下側の原水ストレート用開口１５５ｂからの原水は、内周壁２４ｂのストレート吐水口及びその内部の泡沫内芯２６と直接対向しているため、泡沫内芯２６へと直接流れて泡沫内芯２６の吐出口から吐出される。
【００３９】
上記原水ストレート位置から、ハンドル５０により弁操作部材１２０を時計回り方向に６０度回転して、原水シャワー位置に位置決めすると、可動ディスク１３１の一対の通水孔１３２ａ，１３２ｂが固定ディスク１３３の一対の原水シャワー通水孔１３６ａ，１３６ｂと連通し、可動ディスク１３１の一対の通水孔１３２ａ，１３２ｂからの原水が、固定ディスクの一対の原水シャワー通水孔１３６ａ，１３６ｂ及び止水パッキン１４１の一対の通水孔１４４ａ，１４４ｂをそれぞれ通過して、切替部材１５０の一対の原水シャワー用通水路１７２ａ，１７２ｂ内にそれぞれ流入する。一対の原水シャワー用通水路１７２ａ，１７２ｂ内にそれぞれ流入した原水は、図１８に示すように、第２の流路溝としての短円筒状部１５９の外周面で開口する一対の原水ストレート用開口１５５ａ，１５５ｂから、それぞれ、切替部材１５０の外部へと流出する。このとき、図１４に示すように、切替部材１５０のリング溝１６２内のＯリングＯ及び切替部材１５０の短円筒状部１５７上のＯリングＯが、流出部１３の第２の吐水空間１３ｂの両側に弾性的に密接し、流入部１２の原水流入孔１２ａとの連通、流出部１３の第１の吐水空間との連通及び通水路１４ａとの連通を全て遮蔽するよう、コック本体１０の内周面をそれぞれ水密に封止するため、それらのＯリングＯの間に第２の吐水空間１３ｂと連通する通水空間が形成されている。したがって、当該通水空間と対向する位置にある短円筒状部１５９に形成した一対の原水シャワー用開口１５９ａ，１５９ｂからの原水が、当該通水空間から第２の吐水空間１３ｂを経て、吐水口２４の外周壁２４ａと内周壁２４ｂとの間の第２の吐水空間１３ｂ内に流入して、底壁２４ｃからなるシャワー吐水口から吐出される。即ち、斜め上側の原水シャワー用開口１５９ａからの原水と当該原水シャワー用開口１５９ａから１８０度離れた位置にある斜め下側の原水シャワー用開口１５９ｂからの原水は、それぞれ、短円筒状部１５９の外周面からなる第２の流路溝に沿って前記通水空間を周回して最終的にシャワー吐水口から吐出される。
【００４０】
また、上記原水ストレート位置から、ハンドル５０により弁操作部材１２０を反時計回り方向に回転して、或いは、上記原水シャワー位置から、ハンドル５０により弁操作部材１２０を時計回り方向に回転して、浄水位置に位置決めすると、可動ディスク１３１の一対の通水孔１３２ａ，１３２ｂが固定ディスク１３３の一対の浄水通水孔１４３ａ，１４３ｂと連通し、可動ディスク１３１の一対の通水孔１３２ａ，１３２ｂからの原水が、固定ディスクの一対の浄水通水孔１４３ａ，１４３ｂ及び止水パッキン１４１の一対の通水孔１４３ａ，１４３ｂをそれぞれ通過して、切替部材１５０の一対の浄水用通水路１７２ａ，１７２ｂ内にそれぞれ流入する。一対の浄水用通水路１７２ａ，１７２ｂ内にそれぞれ流入した原水は、図１６に示すように、円形状端面１６３で開口する一対の浄水用開口１６３ａ，１６３ｂからそれぞれ切替部材１５０の外部へと流出する。このとき、図１４に示すように、切替部材１５０のリング溝１６２内のＯリングＯが、切替コック１０の装着口１５ａと反対側の端部の通水孔１４ａの周囲を水密に封止するため、当該ＯリングＯの内部に、浄水器用給水孔１４ａとのみ連通する（流入部１２の原水流入孔１２ａ、流出部１３の第１の吐水空間１３ａ及び第２の吐水空間１３ｂとの連通を遮断する）通水空間が形成されている。したがって、当該通水空間と対向する位置にある円形状端面１６３に形成した一対の浄水用開口１６３ａ，１６３ｂからの原水が、当該通水空間から浄水器用給水孔１４ａを経て、浄水用連結部材３０の給水孔挿着部３４から浄水器用給水部３２へと流入し、その後、取付ナット３６により取付けた浄水器用給水ホース内に流入して、浄水器内に給水される。その後、浄水器からの浄水は、浄水器用連結部材３０の浄水流入部３３に取付ナット３７により取付けた浄水ホースから当該浄水流入部３３に流入し、その後、流入孔装着部３５を経てコック本体１０の浄水流入孔１４ｂ内に流入する。このとき、浄水流入孔１４ｂは、前記切替部材１５０の短円筒状部１５７上のＯリングＯと流入側本体１１０の短円筒状部１１８上のＯリングＯとの間に形成される通水空間にのみ連通している。したがって、コック本体１０の浄水流入孔１４ｂからの浄水は、前記原水ストレート吐出の場合と同様にして、当該通水空間から第１の吐水空間１３ａを経て、吐水口２４の内周壁２４ｂ内の泡沫内芯２６へと流入して泡沫内芯２６の吐水口（ストレート吐水口）から吐出される。また、このとき、浄水が流れる第１の流路溝の短円筒状部１５５の外周面には原水ストレート用開口１５５ａ，１５５ｂが開口しているが、可動ディスク１３１の通水孔１３２ａ，１３２ｂは固定ディスク１３３の浄水通水孔１３４ａ，１３４ｂのみと連通して原水ストレート通水孔１３４ａ，１３４ｂとは通水が遮断されているため、浄水が原水ストレート用開口１５５ａ，１５５ｂからストレート通水路１７１ａ，１７１ｂ内に逆流することはない。
【００４１】
このようにして、ハンドル５０を正逆いずれかの方向に回転することにより、順次、原水ストレート吐水（泡沫内心２６からの吐水）、浄水吐水（泡沫内心２６からの吐水）及び原水シャワー吐水の３種類の吐水状態に切り替えることができる。また、ハンドル５０は正逆いずれの方向にも連続的に無限に回転可能であり、本実施の形態の切替コックは、上記切替弁カートリッジにより、１８０度の回転角度範囲内で原水ストレート吐水、浄水吐水、原水シャワー吐水の３段階の弁切替動作を行い、更に、次の１８０度の回転角度範囲内で２回目の原水ストレート吐水、浄水吐水、原水シャワー吐水の３段階の弁切替動作を行うことになる。即ち、本実施の形態の切替コックは、１周回（３６０度）回転する間に３段階の吐水状態の切替動作（弁切替動作）を２回行うことになり、また、連続的に回転することにより、かかる３段階の吐水状態の切替動作を連続的に無限に行うことができる。
【００４２】
一方、本実施の形態の切替弁カートリッジでは、カートリッジ本体１００は、内部の可動ディスク１３１や固定ディスク１３３やその関連部品が、磨耗、劣化、破損等により品質劣化した場合、或いは、可動ディスク１３１と固定ディスク１３３との間（摺接面）に水中のごみ等の小異物（狭雑物）が挟持され、固定ディスク１３３と可動ディスク１３１との間の摺接面での水密構造が崩れて周辺への水漏れを生じたり、或いは、固定ディスク１３３または可動ディスク１３１の摺接面に傷が付き、やはりそれらの摺接面での水密構造が崩れて周辺への水漏れを生じたりした場合でも、コック本体１０から容易に取り外して交換することができる。即ち、カートリッジ本体１００は、コック本体１０に対して雄螺子１１４を螺入して水密に着脱自在となっているため、スパナ状の工具により基部１１１を挟持して螺退方向に回転することにより、切替弁カートリッジ全体を容易にコック本体１０の装着口１５ａから取り外すことができる。また、本実施の形態の切替弁カートリッジは、上記のように、弁切替動作に必要な機構（弁操作部材１２０等）を全て内蔵し、かつ、コック本体１０等の切替弁装置本体に内装したときに、その外周面が切替弁装置本体の内周面との間で流路数に対応した流路（流路溝等）を形成する構造となっているため、各種の切替弁装置本体に内装するだけで所望の切替弁装置を完成することができ、汎用性を有して切替弁装置自体のコストを大幅に低減することができる。
【００４３】
更に、本実施の形態の切替弁カートリッジは、それ自体も、弁操作部材１２０を流入側本体１１０に容易に着脱自在とすると共に可動ディスク１３１を弁操作部材１２０に容易に着脱自在とし、かつ、固定ディスク１３３止水パッキン１４１を切替部材１５０に容易に着脱自在とすると共に、切替部材１５０を流入側本体１１０に容易に着脱自在としているため、容易に組立、分解、再組立等を行うこともでき、例えば、可動ディスク１３１や固定ディスク１３３のみを交換するといったことも可能となる。なお、切替部材１５０を流入側本体１１０から取り外すには、前記流入側本体の係合孔１１５ａから露出する係止突起１５２の先端の爪部を内方に押圧して弾性変形させ、切替部材１５０を手前に引っ張って取り外す。
【００４４】
ところで、本発明の切替弁カートリッジは、上記実施の形態に限定されるものではなく、発明の課題を達成できる限りにおいて各種の変更が可能である。即ち、切替弁カートリッジを内装する切替弁装置としては、上記実施の形態のように、第１及び第２の水流出口として原水ストレート吐水口及び原水シャワー吐水口を使用すると共に第３の水流出口として外部給水装置である浄水器に接続する浄水器用給水口を使用する三方弁としての切替コック以外にも、浄水器以外の外部給水装置（活水器、整水器、浄活水器等）を接続する切替コックに具体化してもよい。また、三方切替弁の場合における第１、第２及び第３の水流出口としての原水ストレート吐水口、原水シャワー吐水口、浄水器用給水口は、いずれも一実施例としての例示であり、これら以外にも、三方で流路の切替を行う三方切替弁に設けられる水流出口とする限りにおいて、任意のものに適用することができる。更に、上記実施の形態の切替コックは、外部給水装置として浄水器を接続し、その浄水を還流して内部に流入する構成としたため、原水流入口（第１の水流入口）に加えて、第３の水流出口に対応して浄水器からの環流水（浄水）を流入するための浄水流入口（第２の水流口）を設けて、第１の水流出口（原水ストレート吐水口）から吐水するようにしているが、第３の水流出口に食器洗浄機等の水を還流しないものを接続した場合、第２の水流入口は不要となる。なお、吐水パイプを設けたタイプの浄水器に接続する場合も、浄水の環流はないことから、第２の水流入口は不要となる。また、上記実施の形態の切替コックは、第１の水流入口からの水を切替弁カートリッジの軸方向一端側（流入側本体１１０）の外周面に設けた水流入開口から内部に流入し、第１の水流出口（原水ストレート吐水口）への水を切替弁カートリッジの軸方向他端側（切替部材１５０）の外周面の一方の開口から流出させて第１の流路溝により案内し、第２の水流出口（原水シャワー吐水口）への水を切替弁カートリッジの軸方向他端側（切替部材１５０）の外周面の他方の開口から流出させて第２の流路溝により案内し、第３の水流出口（浄水器用給水口）への水を切替弁カートリッジの軸方向他端面（切替部材１５０の端面）の開口から流出させてコック本体１０の通水路（浄水器用給水孔１４ａ）により案内しているが、これ以外にも、切替弁カートリッジの軸方向他端側（切替部材１５０）の外周面において更に前記他方の開口よりも奥側（切替部材１５０の端面側）の位置に第３の流路溝を設けて、第３の水流出口用の通水路を当該第３の流路溝に設けた開口から流出させ、第３の水流出口（浄水器用給水口）に導入してもよい。
【００４５】
また、本発明の切替弁カートリッジは、三方切替弁以外にも、例えば、通水路原水ストレート及び原水シャワー等の２つの流路間で二方の弁切替を行う切替弁装置に具体化してもよい。この場合、例えば、コック本体１０から前記第３の水流出口及び第２の水流入口を省略し（浄水用連結部材３０部分を閉塞し）、切替部材１５０から前記第３の通水路１７２ａ，１７２ｂ及び第３の開口１６３ａ，１６３ｂを省略して、第１の通水路１７１ａ，１７１ｂ及び第２の通水路１７３ａ，１７３ｂを周方向に３６０の角度範囲に９０度の間隔を置いて２個ずつ配置し、第１の通水路１７１ａ，１７１ｂ及び第２の通水路１７３ａ，１７３ｂを、それぞれ、切替部材１５０の外周面の第１の流路溝及び第２の流路溝で開口するようにして構成することができる。なお、この場合、固定ディスク（及び止水パッキン）の通水孔は、通水路と同一数（４個）及び同一断面形状となって同一角度間隔（９０度間隔）で配置され、可動ディスクの一対の通水孔は固定ディスクの通水孔と同一断面形状として１８０度間隔で配置する。加えて、環状部材１２２の位置決め溝１２２ａも、通水孔と同一数（４個）として同一角度間隔（９０度間隔）で配置する。また、本発明の切替弁カートリッジは、例えば、４つ以上の流路間で四方以上の弁切替を行う切替弁装置に具体化してもよい。この場合、例えば、コック本体１０に（三方の流路に追加する流路の数に対応して）追加の水流出口（第４の水流出口・・・）を設け、（三方の流路に追加する流路の数に対応して）追加の流路溝を設けて、流路数に対応する数の通水路を周方向に３６０の角度範囲に等角度間隔（３６０度割る流路数の角度間隔）を置いて配置し、追加した通水路を、それぞれ、切替部材１５０の外周面の追加した流路溝で開口するようにして構成することができる。なお、この場合、固定ディスク（及び止水パッキン）の通水孔は、通水路と同一数及び同一断面形状となって同一角度間隔で配置され、可動ディスクの一対の通水孔は固定ディスクの通水孔と同一断面形状として１８０度間隔で配置する。加えて、環状部材１２２の位置決め溝１２２ａも、通水孔と同一数として同一角度間隔で配置する。
【００４６】
また、本発明の切替弁カートリッジは、弁機構として、可動ディスク１３１に一対の通水孔１３２ａ，１３２ｂを形成すると共に可動ディスク１３３に流路数に対応する数の２倍の通水孔（対応する対の数の通水孔）１３４ａ，１３４ｂ，１３５ａ，１３５ｂ，１３６ａ，１３６ｂを設けて、所定段数（三方弁の場合は三段）の弁切替動作を３６０度の範囲内で２回行う構成としたが、本発明の第１の課題は、セラミックディスクを使用した弁切替動作機構の全体をカートリッジ化して所期の効果を発揮することにあるため、弁機構として、可動ディスクに１個の通水孔を設け、固定ディスクに流路数と同一数の通水孔を設けた構成とすることもできる。この場合、通水路の数も通水孔と同一数とする。なお、この場合も含め、通水路用の開口の数は、通常、通水路の数と同一数（１個の通水路に対して１個の開口）とするが、通水路を途中で分岐して複数の位置で開口する構成（例えば、１個の通水路に対して２個の開口）とすることも可能である。しかし、上記実施の形態のように、流路の数の２倍の数の通水孔や通水路を設けた場合、所定段数の弁切替動作を３６０の範囲内で２回行うことができ、また、その弁切替動作を回転方向に連続して行うことができるため、操作が容易となり、使い勝手が向上するという特有の効果が得られる。
【００４７】
また、本発明の切替弁カートリッジは、上記のように、切替部材の外周面の所定位置に装着したＯリングを本体ケースの周面に水密に当接させて流路を形成するため、本体ケースがＯリングの位置に当該Ｏリングを水密に当接自在な円形状の周面部分を有する限りにおいて、どのような構造の弁装置にも適用できる。また、切替部材は、構造が簡単であるため、プラスチック成形以外にも、金属鍛造等やダイカスト成形により簡単に製造できる。
【図面の簡単な説明】
【００４８】
【図１】図１は本発明の一実施の形態に係る切替弁装置の外観を示す斜視図である。
【図２】図２は本発明の一実施の形態に係る切替弁装置の外観を示す正面図である。
【図３】図３は本発明の一実施の形態に係る切替弁装置の外観を示す背面図である。
【図４】図４は本発明の一実施の形態に係る切替弁装置の外観を示す右側面図（ハンドル側から見た側面図）である。
【図５】図５は本発明の一実施の形態に係る切替弁装置の外観を示す平面図である。
【図６】図６は本発明の一実施の形態に係る切替弁装置の外観を示す底面図である。
【図７】図７は本発明の一実施の形態に係る切替弁装置の各部品を分解して示す分解斜視図である。
【図８】図８は本発明の一実施の形態に係る切替弁装置の外部用連結部材としての浄水器用ユニットを分解して示す分解斜視図である。
【図９】図９は本発明の一実施の形態に係る切替弁カートリッジを分解して示す分解斜視図である。
【図１０】図１０は本発明の一実施の形態に係る切替弁カートリッジの切替部を示す斜視図である。
【図１１】図１１は本発明の一実施の形態に係る切替弁カートリッジの固定ディスクを示し、（ａ）は正面図、（ｂ）は右側面図、（ｃ）は背面図である。
【図１２】図１２は本発明の一実施の形態に係る切替弁カートリッジの可動ディスクを示し、（ａ）は正面図、（ｂ）は右側面図、（ｃ）は背面図、（ｄ）は（ａ）のＣ−Ｃ線断面図、（ｅ）は（ａ）のＤ−Ｄ線断面図、（ｆ）は（ａ）のＥ−Ｅ線断面図、（ｇ）は（ａ）のＦ−Ｆ線断面図である。
【図１３】図１３は図２のＡ−Ａ線断面図であり、一実施の形態に係る切替弁装置の浄水通水時を示す。
【図１４】図１４は図５のＢ−Ｂ線断面図であり、一実施の形態に係る切替弁装置の浄水通水時を示す。
【図１５】図１５は本発明の一実施の形態に係る切替弁カートリッジの切替部の構造を概略的に示す正面図である。
【図１６】図１６は本発明の一実施の形態に係る切替弁カートリッジの切替部の浄水用通水構造を概略的に示す正面図である。
【図１７】図１７は本発明の一実施の形態に係る切替弁カートリッジの切替部の原水ストレート用通水構造を概略的に示す正面図である。
【図１８】図１８は本発明の一実施の形態に係る切替弁カートリッジの切替部の原水シャワー用通水構造を概略的に示す正面図である。
【符号の説明】
【００４９】
１０：コック本体（切替弁装置本体）、１１：本体基部、１５ａ：装着口
２３ｂ：原水流入口（水流入口、第１の水流入口）
２４：吐水口（第１の水流出口、第２の水流出口）
２４ｂ：ストレート吐水口（第１の水流出口）
２４ｂ：シャワー吐水口（第２の水流出口）、２４ｃ：シャワー吐水口
３６ａ：浄水器用給水口（第２の水流出口、第３の水流出口）
３７ａ：浄水流入口（第２の水流入口）
１３４ａ：第１の原水ストレート通水孔、１３４ｂ：第２の原水ストレート通水孔
１３５ａ：第１の浄水通水孔、１３５ｂ：第２の浄水通水孔
１３６ａ：第１の原水シャワー通水孔、１３６ｂ：第１の原水シャワー通水孔
１５５ａ：第１の原水ストレート用開口、１５５ｂ：第２の原水ストレート用開口
１５９ａ：第１の原水シャワー用開口、１５９ｂ：第２の原水シャワー用開口
１６３ａ：第１の浄水用開口、１６３ｂ：第２の浄水用開口
１７１ａ：第１の原水ストレート用通水路、１７１ｂ：第２の原水ストレート用通水路
１７２ａ：第１の浄水用通水路、１７２ｂ：第２の浄水用通水路
１７３ａ：第１の原水シャワー用通水路、１７３ｂ：第２の原水シャワー用通水路
【図１】
2010031923.tif 000003
【図２】
2010031923.tif 000004
【図３】
2010031923.tif 000005
【図４】
2010031923.tif 000006
【図５】
2010031923.tif 000007
【図６】
2010031923.tif 000008
【図７】
2010031923.tif 000009
【図８】
2010031923.tif 000010
【図９】
2010031923.tif 000011
【図１０】
2010031923.tif 000012
【図１１】
2010031923.tif 000013
【図１２】
2010031923.tif 000014
【図１３】
2010031923.tif 000015
【図１４】
2010031923.tif 000016
【図１５】
2010031923.tif 000017
【図１６】
2010031923.tif 000018
【図１７】
2010031923.tif 000019
【図１８】
2010031923.tif 000020